(57)【要約】【課題】状況に適さない処理が実行されてしまうことを防止する。【解決手段】商品を登録する登録処理を実行する登録手段と、前記登録手段によって生成された登録データを用いて精算処理を実行する精算手段と、他装置で精算可能に前記登録データを送信する送信処理を実行する送信手段と、前記精算処理の実行を禁止する禁止手段とを備え、前記禁止手段は、前記送信処理が実行される場合には前記送信処理の実行前に前記精算処理の実行を禁止する。【選択図】図１１
2019139394.tif 000002
【特許請求の範囲】
【請求項１】
商品を登録する登録処理を実行する登録手段と、
前記登録手段によって生成された登録データを用いて精算処理を実行する精算手段と、
他装置で精算可能に前記登録データを送信する送信処理を実行する送信手段と、
前記精算処理の実行を禁止する禁止手段と
を備え、
前記禁止手段は、前記送信処理が実行される場合には前記送信処理の実行前に前記精算処理の実行を禁止することを特徴とする販売データ処理装置。
【請求項２】
商品を登録する登録処理を実行する登録手段と、
前記登録手段によって生成された登録データを用いて精算処理を実行する精算手段と、
他装置で精算可能に前記登録データを送信する送信処理を実行する送信手段と、
前記送信処理の実行を禁止する禁止手段と
を備え、
前記禁止手段は、前記精算処理が実行される場合には前記精算処理の実行前に前記送信処理の実行を禁止することを特徴とする販売データ処理装置。
【請求項３】
商品を登録する登録処理を実行する登録手段と、
前記登録手段によって生成された登録データを用いて精算処理を実行する精算手段と、
他装置で精算可能に前記登録データを送信する送信処理を実行する送信手段と、
前記精算処理の実行前に前記精算処理が実行されるか否かを判断する第１判断手段と、
前記送信処理の実行前に前記送信処理が実行されるか否かを判断する第２判断手段と、
前記精算処理と前記送信処理のいずれか一方の処理の実行を禁止する禁止手段と
を備え、
前記禁止手段は、
前記第１判断手段によって前記精算処理の実行前に前記精算処理が実行されると判断した場合に、前記精算処理の実行前に前記送信処理の実行を禁止し、前記第２判断手段によって前記送信処理の実行前に前記送信処理が実行されると判断した場合に、前記送信処理の実行前に前記精算処理の実行を禁止することを特徴とする販売データ処理装置。
【請求項４】
前記第１判断手段は、
釣銭釣札機への入金の有無、または、前記精算処理に適用する決済種別の選択の有無に基づいて、前記精算処理が実行されるか否かを判断することを特徴とする請求項３に記載の販売データ処理装置。
【請求項５】
販売データ処理装置としてコンピュータを機能させるプログラムであって、
前記コンピュータを、
商品を登録する登録処理を実行する登録手段、
前記登録手段によって生成された登録データを用いて精算処理を実行する精算手段、
他装置で精算可能に前記登録データを送信する送信処理を実行する送信手段、
前記精算処理と前記送信処理のいずれか一方の処理の実行を禁止する禁止手段
として機能させ、
前記禁止手段は、
前記精算処理が実行される場合には前記精算処理の実行前に前記送信処理の実行を禁止し、前記送信処理が実行される場合には前記送信処理の実行前に前記精算処理の実行を禁止することを特徴とするプログラム。
【発明の詳細な説明】
【技術分野】
【０００１】
本発明は、販売データ処理装置及びプログラムに関する。
【背景技術】
【０００２】
他装置である精算装置に登録情報を送信可能な登録装置（売上処理装置）が提案されている（例えば、特許文献１参照）。
【先行技術文献】
【特許文献】
【０００３】
【特許文献１】特開２０１７−１０２８５６号公報
【発明の概要】
【発明が解決しようとする課題】
【０００４】
しかしながら、状況に適さない処理が誤って実行させてしまう虞がある。
【０００５】
本発明は、このような事情に鑑みてなされたもので、その目的は、状況に適さない処理が実行されてしまうことを防止することができる技術を提供することにある。
【課題を解決するための手段】
【０００６】
上述した課題を解決するために、本発明の一態様である販売データ処理装置は、商品を登録する登録処理を実行する登録手段と、前記登録手段によって生成された登録データを用いて精算処理を実行する精算手段と、他装置で精算可能に前記登録データを送信する送信処理を実行する送信手段と、前記精算処理の実行を禁止する禁止手段とを備え、前記禁止手段は、前記送信処理が実行される場合には前記送信処理の実行前に前記精算処理の実行を禁止することを特徴とする。
【０００７】
上記に構成によれば、状況に適さない処理が誤って実行されてしまうことを好適に防止することができる。具体的には、送信処理が実行される状況においては、自装置における精算は行わないため、当該状況に適さない精算処理を禁止している。従って、送信処理が実行される状況に適さない精算処理が誤って実行されることはなくなる。
【０００８】
上述した課題を解決するために、本発明の他の態様である販売データ処理装置は、商品を登録する登録処理を実行する登録手段と、前記登録手段によって生成された登録データを用いて精算処理を実行する精算手段と、他装置で精算可能に前記登録データを送信する送信処理を実行する送信手段と、前記送信処理の実行を禁止する禁止手段とを備え、前記禁止手段は、前記精算処理が実行される場合には前記精算処理の実行前に前記送信処理の実行を禁止することを特徴とする。
【０００９】
上記に構成によれば、状況に適さない処理が誤って実行されてしまうことを好適に防止することができる。具体的には、精算処理が実行される状況においては、他装置に登録データは送信しないため、当該状況に適さない送信処理を禁止している。従って、精算処理が実行される状況に適さない送信処理が誤って実行されることはなくなる。
【００１０】
上述した課題を解決するために、本発明の他の一態様である販売データ処理装置は、商品を登録する登録処理を実行する登録手段と、前記登録手段によって生成された登録データを用いて精算処理を実行する精算手段と、他装置で精算可能に前記登録データを送信する送信処理を実行する送信手段と、前記精算処理の実行前に前記精算処理が実行されるか否かを判断する第１判断手段と、前記送信処理の実行前に前記送信処理が実行されるか否かを判断する第２判断手段と、前記精算処理と前記送信処理のいずれか一方の処理の実行を禁止する禁止手段とを備え、前記禁止手段は、前記第１判断手段によって前記精算処理の実行前に前記精算処理が実行されると判断した場合に、前記精算処理の実行前に前記送信処理の実行を禁止し、前記第２判断手段によって前記送信処理の実行前に前記送信処理が実行されると判断した場合に、前記送信処理の実行前に前記精算処理の実行を禁止することを特徴とする。
【００１１】
上記に構成によれば、状況に適さない処理が誤って実行されてしまうことを好適に防止することができる。例えば、送信処理が実行される状況においては、自装置における精算は行わないため、当該状況に適さない精算処理を禁止している。従って、送信処理が実行される状況に適さない精算処理が誤って実行されることはなくなる。また例えば、精算処理が実行される状況においては、他装置に登録データは送信しないため、当該状況に適さない送信処理を禁止している。従って、精算処理が実行される状況に適さない送信処理が誤って実行されることはなくなる。
【００１２】
上記販売データ処理装置において、前記第１判断手段は、釣銭釣札機への入金の有無、または、前記精算処理に適用する決済種別の選択の有無に基づいて、前記精算処理が実行されるか否かを判断してもよい。
【００１３】
上記に構成によれば、精算処理が実行される状況を好適に判断することができる。
【００１４】
上述した課題を解決するために、本発明の一態様であるプログラムは、販売データ処理装置としてコンピュータを機能させるプログラムであって、前記コンピュータを、商品を登録する登録処理を実行する登録手段、前記登録手段によって生成された登録データを用いて精算処理を実行する精算手段、他装置で精算可能に前記登録データを送信する送信処理を実行する送信手段、前記精算処理と前記送信処理のいずれか一方の処理の実行を禁止する禁止手段として機能させ、前記禁止手段は、前記精算処理が実行される場合には前記精算処理の実行前に前記送信処理の実行を禁止し、前記送信処理が実行される場合には前記送信処理の実行前に前記精算処理の実行を禁止することを特徴とするプログラムである。
【発明の効果】
【００１５】
以上のように、状況に適さない処理が実行されてしまうことを防止することができる。
【図面の簡単な説明】
【００１６】
【図１】ＰＯＳシステムのネットワーク構成図である。
【図２】ＰＯＳ端末の設置例を示す図である。
【図３】ＰＯＳ端末の外観例を示す図である。
【図４】ＰＯＳ端末の構成例を示す図である。
【図５】ＰＯＳ端末の動作モードの概略を説明する図である。
【図６】ＰＯＳ端末の動作モードの概略を説明する図である。
【図７】ＰＯＳ端末における表示例である。
【図８】ＰＯＳ端末における表示例である。
【図９】ＰＯＳ端末における表示例である。
【図１０】ＰＯＳ端末における表示例である。
【図１１】ＰＯＳ端末における表示例である。
【図１２】ＰＯＳ端末における表示例である。
【図１３】ＰＯＳ端末における表示例である。
【図１４】ＰＯＳ端末における表示例である。
【図１５】ＰＯＳ端末における表示例である。
【図１６】ＰＯＳ端末における表示例である。
【図１７】ＰＯＳ端末における表示例である。
【図１８】ＰＯＳ端末における表示例である。
【図１９】ＰＯＳ端末における表示例である。
【図２０】ＰＯＳ端末における表示例である。
【図２１】ＰＯＳ端末における表示例である。
【図２２】ＰＯＳ端末における表示例である。
【図２３】ＰＯＳ端末における表示例である。
【図２４】ＰＯＳ端末における表示例である。
【図２５】ＰＯＳ端末の動作の一例を示すフローチャートである。
【図２６】ＰＯＳ端末の動作の一例を示すフローチャートである。
【図２７】ＰＯＳ端末の動作の一例を示すフローチャートである。
【図２８】ＰＯＳ端末の動作の一例を示すフローチャートである。
【図２９】ＰＯＳ端末の動作の一例を示すフローチャートである。
【図３０】ＰＯＳ端末の動作の一例を示すフローチャートである。
【図３１】ＰＯＳ端末の動作の一例を示すフローチャートである。
【図３２】ＰＯＳ端末の動作の一例を示すフローチャートである。
【発明を実施するための形態】
【００１７】
図１は、本発明の一実施形態に係るＰＯＳ（Point Of Sales）システムのネットワーク構成図である。図１に示すＰＯＳシステム１は、３台のＰＯＳ端末２０−１、ＰＯＳ端末２０−２、ＰＯＳ端末２０−３と、ストアコントローラ（ストアコンピュータ、管理装置）１０を備え、夫々はＬＡＮ１１を介して通信可能に接続されている。以下、ＰＯＳ端末２０−１、２０−２、２０−３について特に区別しない場合には、ＰＯＳ端末２０と総称する。なお、ＰＯＳシステム１は、ＰＯＳ端末２０の状況（動作モード、処理状況等）を表示したり、ＰＯＳ端末２０を制御したりする監視端末（非図示）を更に備えていてもよい。
【００１８】
ＰＯＳシステム１は、種々の店舗（コンビニストア、スーパーマーケット等）に導入可能である。
【００１９】
図２は、ＰＯＳ端末２０の設置例を示す図である。図２（Ａ）は、ＰＯＳ端末２０等を客側から見た斜視図である。図２（Ｂ）は、ＰＯＳ端末２０等を店員側から見た斜視図である。図２（Ａ）に示すように客側から見てＰＯＳ端末２０の右側にカウンタが置かれている。
【００２０】
図３は、ＰＯＳ端末２０の外観例を示す図である。図３（Ａ）は、ＰＯＳ端末２０を客側から見た斜視図である。図３（Ｂ）は、ＰＯＳ端末２０を店員側から見た斜視図である。図４は、ＰＯＳ端末２０の構成例を示す図である。図３及び図４において、同一部分には同一符号を付している。
【００２１】
以下、図３を参照しつつ、図４に示したＰＯＳ端末２０の構成例を説明する。ＰＯＳ端末２０は、ＣＰＵ２０１と、ＲＯＭ２０２と、ＲＡＭ２０３と、ハードディスク２０４と、客側表示部２０５と、客側スキャナ部２０６と、カード決済部２０８と、釣銭機２０９と、店員側表示部２１０と、キー操作部２１１と、店員側スキャナ部２１２と、印刷部２１３と、音声出力部２１４と、通信部２１５とを備える。これらは、バスを介して相互に通信可能である。
【００２２】
ＣＰＵ２０１は、中央演算処理装置であり、ＲＯＭ２０２に記憶されているプログラムを読み出して実行することにより、ＰＯＳ端末２０の動作を制御する。
ＲＯＭ２０２は、読み出し専用メモリであり、プログラムをはじめとしてＣＰＵ２０１が利用する各種の情報を記憶する。
【００２３】
ＲＡＭ２０３は、読み出し書き込みメモリであり、種々の情報を記憶する。例えば、ＲＡＭ２０３は、外部から取得した情報（例えば、ストアコントローラ１０から取得した商品マスタ等）や、処理において生成した情報（例えば、商品を登録する登録処理において生成した登録情報（登録データ）、買上商品を精算（決済）する精算処理において生成した精算情報等）を記憶する。
【００２４】
ハードディスク２０４は、種々の情報を記憶する。ハードディスク２０４は、例えば、ＲＯＭ２０２に代えて、ＣＰＵ２０１が実行するプログラム等を記憶してもよい。また、ＲＡＭ２０３に代えて、外部から取得した情報や、処理において生成した情報を記憶してもよい。
【００２５】
客側表示部２０５は、客用のタッチディスプレイであり、客に種々の情報を表示するとともに、客から種々の入力を受け付ける。
客側スキャナ部２０６は、客用のスキャナ部であり、例えば、商品に付されているバーコード（商品コード等）等を光学的に読み取る。また、客側スキャナ部２０６は、お会計券（登録商標）に印刷されているコード（バーコード、２次元コード等）を光学的に読み取ってもよい。
【００２６】
なお、客側スキャナ部２０６は、客が商品を登録する際に用いられるが、客は他の方法によって商品を登録してもよい。例えば、客側表示部２０５に、商品に対応するプリセットキー（商品を注文するボタン）が表示されている場合、客は、当該プリセットキーを操作（押下）し、商品を登録してもよい。
【００２７】
カード決済部２０８は、各種カード（クレジットカード、交通系カード等のプリペイドカード等）による決済機構である。本実施形態のカード決済部２０８は、カード認識部（読取部）や表示部や操作部を備えるが、少なくとも、カード認識部を備えるものであればよい。なお、カード認識部は、直接的には決済（精算）に使用しない各種カード（例えば、会員カード、ポイントカード等）を認識してもよい。
【００２８】
釣銭機２０９（現金決済部）は、現金による決済機構であり、紙幣や硬貨の投入口、紙幣や硬貨の排出口を有し、投入口への投入金額を算出し、投入金額と買上金額の差分である釣銭金額を算出し、釣り銭を排出口から排出する。なお、当該釣銭機２０９は、客側に向けられており、客が操作するものである。なお、紙幣や硬貨が投入口に投入された場合にはセンサによって検出（投入があった旨の検出、金種別の枚数の検出等）される。
【００２９】
店員側表示部２１０は、店員用のタッチディスプレイであり、店員に種々の情報を表示するとともに、店員から種々の入力を受け付ける。
キー操作部２１１は、各種のキー（ボタン）から構成され、店員から種々の入力を受け付ける。
店員側スキャナ部２１２は、店員用のスキャナ部であり、例えば、商品に付されているバーコード（商品コード等）や店員の名札に付された店員コード等を光学的に読み取る。
【００３０】
なお、店員側スキャナ部２１２は、店員が商品を登録する際に用いられるが、店員は他の方法によって商品を登録してもよい。例えば、キー操作部２１１に、商品に対応するキー（例えば、スポーツ新聞に対応するキー等）が配置されている場合、店員は、当該キーを操作（押下）し、当該商品を登録してもよい。また、店員側表示部２１０に、商品に対応するプリセットキーが表示されている場合、店員は、当該プリセットキーを操作し、当該商品を登録してもよい。
【００３１】
印刷部２１３は、各種媒体（レシート、お会計券等）を印刷、発行する。印刷部２１３は、店員側から客側、客側から店員側に向き（媒体発行口の方向）を回転自在に変更である。印刷部２１３の向きは、手動で変更してもよいし、例えば動作モード（詳細は後述）の移行（切替）に応じて自動的に変更（メカ的に制御等）してもよい。なお、印刷部２１３の向きの正誤をセンサなどで検出してもよい。
【００３２】
音声出力部２１４は、音声を出力する。例えば、音声出力部２１４は、音声ガイダンス等を出力する。
通信部２１５は、他端末（他のＰＯＳ端末２０、ストアコントローラ１０）との間において情報を送受信する。
【００３３】
（各動作モードの概要）
続いて、ＰＯＳ端末２０の動作モードについて説明する。ＰＯＳ端末２０は、複数の動作モードを有する。具体的には、ＰＯＳ端末２０は、少なくとも３種類の動作モード（通常モード、フルセルフモード、セミセルフモード）を有する。
【００３４】
なお、上述の動作モードは、通常業務中の動作モード（登録処理及び精算処理に係る動作モード）であり、売上や在高等を集計、照会等する集計モード、店員や保守員等が設定作業や保守作業を行う際のメンテナンスモード、新人がトレーニングを行う際のトレーニングモード等は含まない。
【００３５】
また、以下の説明において、上述の動作モードの分類（通常モード、フルセルフモード、セミセルフモード）とは別の切り口として、ＰＯＳ端末２０が、登録処理を実行するモードを登録モード、精算処理を実行するモードを会計モードと称する場合がある。
【００３６】
図５及び図６は、ＰＯＳ端末２０の動作モードの概略を説明する図である。図５は、通常モードの概略を説明する図である。図５（Ａ）は通常モードにおける処理（登録処理、精算処理）の流れや人（店員、客）の動作を表した模式図であり、図５（Ｂ）は通常モードにおけるＰＯＳ端末２０の動作の基本的な流れを示したフローチャートである。図６は、フルセルフモードの概略を説明する図である。図６（Ａ）はフルセルフモードにおける処理（登録処理、精算処理）の流れや人（客）の動作を表した模式図であり、図６（Ｂ）はフルセルフモードにおけるＰＯＳ端末２０の動作の基本的な流れを示したフローチャートである。
【００３７】
（通常モード）
通常モードは、図５（Ａ）に示すように、店員側にて登録処理を実行し、客側にて精算処理を実行する動作モードである。即ち、図５（Ｂ）に示すように、通常モードのＰＯＳ端末２０は、店員側が登録モードになり、客側が会計モードになる。つまり、通常モードのＰＯＳ端末２０は、登録処理〜精算処理の全体を通して見た場合、登録会計モードとして動作する。
【００３８】
通常モードの場合、店員は、客の買上商品を店員側（店員側スキャナ部２１２、店員側表示部２１０、キー操作部２１１）にて登録する。つまり、ＰＯＳ端末２０は、店員の操作（店員側スキャナ部２１２によるスキャン、店員側表示部２１０へのタッチ、キー操作部２１１の操作）により、買上商品の登録処理を実行する（図５（Ａ）の上段）。
【００３９】
店員による登録処理が完了した場合、客は、店員側表示部２１０において買上商品の合計金額を確認し、釣銭機２０９に貨幣（現金）を投入、または、カード決済部２０８を操作し、精算する（図５（Ａ）の下段）。つまり、ＰＯＳ端末２０は、客の操作等（釣銭機２０９への現金の投入、カード決済部２０８の操作）により、精算処理を実行する（図５（Ａ）の下段）。
【００４０】
つまり、通常モードでは、図５（Ｂ）に示すように、初めは店員側において、商品がスキャン等され（ステップＳ１０：ＹＥＳ）、商品を登録する（ステップＳ１１）。小計キー（例えば、店員側表示部２１０に表示された小計キー、または、キー操作部２１１に配置された小計キー等）の押下後は（ステップＳ３０：ＹＥＳ）、客側において、例えば釣銭機２０９により精算が行われ（ステップＳ５０）、処理が完了する。なお、ステップＳ３０に小計キーは、登録処理を完了させるための操作キーであり、小計ボタン、登録完了キー、登録完了ボタン、お会計キー、お会計ボタンなどと称する場合もある。
【００４１】
なお、客は、店員による登録処理が完了する迄（合計金額が確定する迄）、待機していてもよいが、登録処理が完了する前に釣銭機２０９に現金を投入してもよい。つまり、ＰＯＳ端末２０は、登録処理中において入金を受付可能である（図５（Ａ）の上段）。
【００４２】
また、客は、登録処理が完了する前に、支払方法（支払種別、決済方法、決済種別とも称する）を選択してもよい。つまり、ＰＯＳ端末２０は、登録処理中において支払方法の選択を受付可能である（詳細は後述する）。
【００４３】
また、店員は、客による精算が完了する迄（客がお釣りやレシートが取る迄）、待機していてもよいが、次の客の買上商品を登録してもよい。つまり、ＰＯＳ端末２０は、精算処理中において次客の買上商品を登録可能である（図５（Ａ）の下段）。また、店員は、客による精算中に不在であってもよい（図５（Ａ）の下段）。つまり、当該客の精算中には、当該客の応対を終えてもよい。
【００４４】
また、ＰＯＳ端末２０は、お釣りがある場合には、お釣りの取り忘れを防止するため、釣銭機２０９による釣銭・釣札の払出しを制御し、客が釣銭・釣札を取り除いたことをセンサ等で認識した上で、印刷部２１３によるレシートの発行を制御してもよい。他の動作モードにおいても同様である。
【００４５】
また、通常モードでは、上述したような、店員側にて登録処理を実行し、該登録処理において生成した登録情報を用いて自端末の客側にて精算処理を実行する処理（図５参照）に加えて、店員側にて登録処理を実行し、該登録処理において生成した登録情報を他端末（精算処理を実行可能な他端末。例えば、他のＰＯＳ端末２０）に送信（ＬＡＮ１１を介して、他端末に直接的に送信、又は、ストアコントローラ１０や監視端末（非図示）経由して他端末に送信。以下、同様）する処理や、該登録処理において生成した登録情報等をコード（バーコード、２次元コード等）化して媒体に印刷し、お会計券として発行する処理についても実行可能である。つまり、通常モードのＰＯＳ端末２０は、自端末において商品を登録して自端末において精算する機能に加え、自端末において商品を登録して他端末において精算させる機能も有する。
【００４６】
上述した、自端末において商品を登録して他端末において精算させる機能は、セミセルフモードの本来の機能である。セミセルフモードは、登録専用モードと会計専用モードとに分類される。セミセルフモード（登録専用モード）のＰＯＳ端末２０は、自端末で商品を登録して他端末にて精算させる機能を有する。具体的には、セミセルフモード（登録専用モード）のＰＯＳ端末２０は、店員側にて登録処理を実行し、該登録処理において生成した登録情報を他端末に送信する（又は、該登録処理において生成した登録情報等をコード化して媒体に印刷し、お会計券として発行する）。セミセルフモード（会計専用モード）のＰＯＳ端末２０は、他端末で登録された商品を精算する機能を有する。具体的には、セミセルフモード（会計専用モード）のＰＯＳ端末２０は、セミセルフモード（登録専用モード）のＰＯＳ端末２０から送信された登録情報を受信し（又は、セミセルフモード（登録専用モード）のＰＯＳ端末２０において発行されたお会計券を読み取り）、精算処理を実行する。
【００４７】
なお、通常モードのＰＯＳ端末２０は、セミセルフモード（登録専用モード）のＰＯＳ端末２０と同様、自端末で商品を登録して他端末にて精算させる機能を有するが、フルセルフモードのＰＯＳ端末２０（通常モードのＰＯＳ端末２０も同様）は、セミセルフモード（会計専用モード）のＰＯＳ端末２０と同様、他端末で登録された商品を精算する機能を有していてもよい。つまり、フルセルフモードのＰＯＳ端末２０や通常モードのＰＯＳ端末２０は、他端末（セミセルフモード（登録専用モード）のＰＯＳ端末２０、通常モードＰＯＳ端末２０等）から登録情報を受信し（又は、お会計券を読み取り）、精算処理を実行してもよい。
【００４８】
（フルセルフモード）
フルセルフモードは、図６（Ａ）に示すように、客側にて登録処理を実行し、客側にて精算処理を実行する動作モードである。即ち、図６（Ｂ）に示すように、フルセルフモードのＰＯＳ端末２０は、客側が登録モードにも会計モードにもなる。つまり、フルセルフモードのＰＯＳ端末２０は、登録処理〜精算処理の全体を通して見た場合、登録会計モードとして動作する。
【００４９】
フルセルフモードの場合、客は、自身の買上商品を客側（客側スキャナ部２０６、客側表示部２０５）にて登録する。つまり、ＰＯＳ端末２０は、客の操作（客側スキャナ部２０６によるスキャン、客側表示部２０５へのタッチ）により、買上商品の登録処理を実行する（図６（Ａ）の上段）。
【００５０】
登録処理が完了した場合、客は、客側表示部２０５において買上商品の合計金額を確認し、釣銭機２０９に現金を投入、または、カード決済部２０８を操作し、精算する（図６（Ａ）の下段）。つまり、ＰＯＳ端末２０は、客の操作等（釣銭機２０９への現金の投入、カード決済部２０８の操作）により、精算処理を実行する（図６（Ａ）の下段）。
【００５１】
つまり、フルセルフモードでは、図６（Ｂ）に示すように、客側において、商品がスキャン等され（ステップＳ２０：ＹＥＳ）、商品を登録する（ステップＳ２１）。登録完了キー（例えば、客側表示部２０５に表示された登録完了キー等）の押下後は（ステップＳ４０：ＹＥＳ）、客側において、例えば釣銭機２０９により精算が行われ（ステップＳ５０）、処理が完了する。なお、ステップＳ４０に係る登録完了キーは、登録処理を完了させるための操作キーであり、登録完了ボタン、小計キー、小計ボタン、お会計キー、お会計ボタンなどと称する場合もある。
【００５２】
なお、フルセルフモードは、上述したように、客側にて登録処理も精算処理も実行するが、店員側は何もできないという訳ではない。つまり、ＰＯＳ端末２０は、フルセルフモードで動作しているときであっても、例えば、店員側スキャナ部２１２にて店員コードのスキャンし、各種の情報を表示したり、商品を登録したりすることが可能である。なお、店員側及び客側の両側にて登録処理を実行している状態（動作モード）を、ダブルスキャンモードと称する場合もある。
【００５３】
（動作モードの報知）
各ＰＯＳ端末２０は、自端末の現在の動作モードを報知してもよい。例えば、各ＰＯＳ端末２０は、店員側表示部２１０において自端末の現在の動作モードを表示してもよい。具体的には、各ＰＯＳ端末２０は、店員側表示部２１０に自端末の動作モード表示欄を有する画面を表示し、該画面上の動作モード表示欄に自端末の現在の動作モードを表示してもよい。また、各ＰＯＳ端末２０は、各動作モードに対応する画像（例えば、ボタン風の画像）を配置した画面を店員側表示部２１０に表示し、該画面上において自端末の現在の動作モードを対応する画像を現在の動作モードに対応しない画像とは異なる表示態様（例えば、他の画像の表示態様よりも目立つ表示態様）にて表示してもよい。例えば、通常モード画像とフルセルフモード画像とを常に表示するとともに、自端末の現在の動作モードが通常モードであるときには通常モード画像をフルセルフモード画像よりも目立つ表示態様にて表示し、自端末の現在の動作モードがフルセルフモードであるときにはフルセルフモード画像を通常モード画像よりも目立つ表示態様にて表示するなどしてもよい。なお、各ＰＯＳ端末２０は、客側表示部２０５においても同様に自端末の現在の動作モードを表示してもよい。
【００５４】
また、各ＰＯＳ端末２０は、自端末の現在の動作モードに代えて又は加えて、他端末の現在の動作モードを報知してもよい。つまり、各ＰＯＳ端末２０が互いに他端末の現在の動作モードを認識することにより、他端末の現在の動作モードを報知してもよい。各ＰＯＳ端末２０が互いに他端末の現在の動作モードを認識する方法の一例は、各ＰＯＳ端末２０が動作モードの移行後に移行後の動作モード（最新の動作モード）を他端末に通知（ＬＡＮ１１を介して、他端末に直接的に通知、または、ストアコントローラ１０や監視端末（非図示）経由して他端末に通知）する方法である。また、各ＰＯＳ端末２０は、他端末の現在の動作モードと同様、他端末の現在の処理状況を報知してもよい。
【００５５】
また、各ＰＯＳ端末２０は、自端末の現在の動作モード等（動作モード、処理状況等）に応じた情報を報知してもよい。例えば、各ＰＯＳ端末２０は、自端末の現在の動作モードがフルセルフモードである場合、例えば待機中であるときに、所定のメッセージ（例えば図７（Ａ）参照）を客側表示部２０５に表示してもよい。また、ＰＯＳ端末２０は、自端末の現在の動作モードに応じた情報に代えて又は加えて、他端末の現在の動作モード等に応じた情報を報知してもよい。
【００５６】
（動作モードの移行（切替））
続いて、ＰＯＳ端末２０の動作モードの移行（切替）について説明する。ＰＯＳ端末２０は、店員による明示的なモード移行操作（モード切替操作）に従って動作モードが移行する。具体的には、キー操作部２１１の最上段かつ最右端に配置されているモード切替ボタン２１１ａ（図３（Ｂ）参照）の操作に従って動作モードが移行する。
【００５７】
なお、モード切替ボタン２１１ａをキー操作部２１１の角部に配置したため、モード移行させる場合の操作ミスを減らすことができるとともに、容易に動作モードを移行させることができるようになる。つまり、キー操作部２１１の角部にモード切替ボタン２１１ａが存在する場合、例えばキー操作部２１１の中央付近にモード切替ボタン２１１ａが存在する場合に比べ、例えば、操作対象であるモード切替ボタン２１１ａに隣接する他のボタン数が少ないため、慌てて他のボタンを操作するなどの操作ミスが生じ難く、また、操作対象であるモード切替ボタン２１１ａの位置を瞬時に特定できるため、ストレスなくモード移行操作を行うことができる。
【００５８】
更に、モード切替ボタン２１１ａをキー操作部２１１の右上端（最上段かつ最右端）の角部に配置したため、店員が店員側にいる場合だけでなく客側にいる場合にもモード移行操作を行うことができるようになる。つまり、客側にいる店員は、通常、キー操作部２１１の各ボタンを視認し得ないが、キー操作部２１１の右上端に存在するモード切替ボタン２１１ａについては、客側から手を伸ばし、手探り（手の感触）のみで、操作対象であるモード切替ボタン２１１ａを容易に認識し得るため、客側にいる店員は店員側に移動しなくても、モード移行操作を行うことができる。
【００５９】
なお、本実施形態では、モード切替ボタン２１１ａをキー操作部２１１の右上端の角部に配置しているが、手探りのみで認識し得る位置（比較的容易に認識できる位置）であれば、モード切替ボタン２１１ａをキー操作部２１１の右上端の角部以外の位置に配置してもよい。また、手探りのみで認識し得る位置（例えば、右上端の角部等）にモード切替ボタン２１１ａを配置することに代えて又は加えて、客側からであっても他のボタンと区別し得るようにモード切替ボタン２１１ａを形成してもよい。例えば、手探りのみで区別しうる程度に、モード切替ボタン２１１ａの大きさを他のボタンの大きさと異ならせるようにしてもよいし、モード切替ボタン２１１ａの形を他のボタンの形と異ならせるようにしてもよいし、モード切替ボタン２１１ａの高さを他のボタンの高さと異ならせるようにしてもよいし（例えば、モード切替ボタン２１１ａが他のボタンよりも飛び出ているようにしてもよいし）、モード切替ボタン２１１ａの表面（手が触れる面）の全部または一部の感触を他のボタンの感触と異ならせるようにしてもよい（例えば、モード切替ボタン２１１ａの表面だけをザラザラ、ボコボコした感触にしてもよいし、モード切替ボタン２１１ａの表面だけに突起や窪みを設けるようにしてもよい）。
【００６０】
なお、本実施形態では、上述のような種々の利点を考慮し、キー操作部２１１にモード切替ボタン２１１ａを配置しているが、キー操作部２１１にモード切替ボタン２１１ａを配置することに代えて又は加えて、店員側表示部２１０に表示される画面上にモード切替ボタン（不図示）を配置するようにしてもよい。
【００６１】
また、ＰＯＳ端末２０は、店員による明示的なモード移行操作以外の他の操作（例えば、店員コードの読取等）に従って動作モードが移行する。また、ＰＯＳ端末２０は、店員の操作等に拠らない所定の条件（経過時間や所定時刻（スケジュール）等の時間に関する条件、他端末（ＰＯＳ端末２０、監視端末）等との間における命令等の情報の送受信に関する条件等）に基づいて動作モードが移行する。なお、上述したように、自端末において動作モード移行した場合には移行後の動作モードを他端末に通知してもよい。
【００６２】
以下の説明において、ＰＯＳ端末２０−１、及び、ＰＯＳ端末２０−２は通常モードであるものとする。また、ＰＯＳ端末２０−３はフルセルフモードであるものとする。
【００６３】
（ＰＯＳ端末２０の表示例）
図７〜図２４は、ＰＯＳ端末２０における表示例である。図７（Ａ）は、フルセルフモードのＰＯＳ端末２０−３の客側表示部２０５における表示例である。具体的には、図７（Ａ）は、登録処理の開始前の登録開始画面の表示内容を示している。
【００６４】
図７（Ａ）において、画面右下の登録スタートボタンＢＴ３０は、商品登録の開始を指示するためのボタンである。客は、商品登録を開始する際に登録スタートボタンＢＴ３０を操作する。画面左下のボタンＢＴ３５〜ＢＴ３７は、表示言語を、夫々、英語、中国語、韓国語に切り替えるためのボタンである。
【００６５】
図７（Ｂ）は、フルセルフモードのＰＯＳ端末２０−３の客側表示部２０５における表示例である。具体的には、図７（Ｂ）は、２品目の商品（大福餅）が登録された状態の登録画面の表示内容を示している。なお、図７（Ａ）に示した登録開始画面において登録スタートボタンＢＴ３０が操作された場合、ＰＯＳ端末２０−３は、商品が未だ１品も登録されていない状態の登録画面（初期状態の登録画面）を表示するが、説明の便宜上、図７（Ｂ）は、既に商品（お茶、大福餅）が登録された後の登録画面を示している。
【００６６】
図７（Ｂ）において、画面左下の画像ＧＡ０１は、他端末（ＰＯＳ端末２０−１）の状態（具体的には通常モードである旨）を示している。画面左下の画像ＧＡ０２は、他端末（ＰＯＳ端末２０−２）の状態（具体的には通常モードである旨）を示している。画面右下のお会計ボタンＢＴ３２は、商品登録の終了を指示するためのボタンである。客は、商品登録が完了した後にお会計ボタンＢＴ３２を操作する。店員呼出ボタンＢＴ３３は、店員を呼び出すためのボタンである。客は、店員を呼び出す場合（例えば、店員のサポートが必要な場合等）に店員呼出ボタンＢＴ３３を操作する。
【００６７】
なお、ボタンＢＴ３５〜ＢＴ３７は、上述したように、表示言語を、夫々、英語、中国語、韓国語に切り替えるためのボタンである。また、「野菜」ボタンＢＴ３８は、野菜の各プリセットキー（図９参照）を表示させるためのボタンである。
【００６８】
図８（Ａ）は、フルセルフモードのＰＯＳ端末２０−３の客側表示部２０５における表示例である。具体的には、図８（Ａ）は、精算処理を開始する際に表示する精算画面（支払方法選択画面）の表示内容を示している。例えば、ＰＯＳ端末２０−３は、登録画面（図７（Ｂ）参照）においてお会計ボタンＢＴ３２が操作された場合に、図８（Ａ）に示したような支払方法選択画面を表示する。
【００６９】
図８（Ｂ）は、フルセルフモードのＰＯＳ端末２０−３の客側表示部２０５における表示例である。具体的には、図８（Ｂ）は、現金による支払を開始する際に表示する精算画面（入金画面）の表示内容を示している。例えば、ＰＯＳ端末２０−３は、支払方法選択画面（図８（Ａ）参照）において現金が操作された場合に、図８（Ｂ）に示したような入金画面を表示する。
【００７０】
図８（Ｃ）は、フルセルフモードのＰＯＳ端末２０−３の客側表示部２０５における表示例である。具体的には、図８（Ｃ）は、預り金額を決定する際に表示する精算画面（入金画面）の表示内容を示している。例えば、ＰＯＳ端末２０−３は、お支払金額（買上金額）以上の現金（預り金）が投入された場合に、図８（Ｃ）に示したような入金画面を表示する。
【００７１】
図８（Ｄ）は、フルセルフモードのＰＯＳ端末２０−３の客側表示部２０５における表示例である。具体的には、図８（Ｄ）は、釣り銭を放出する際に表示する精算画面（釣銭画面）の表示内容を示している。例えば、ＰＯＳ端末２０−３は、入金画面（図８（Ｃ））においておわり（レシート）ボタンＢＴ４０が操作された場合に、図８（Ｄ）に示したような釣銭画面を表示する。
【００７２】
図８（Ｅ）は、フルセルフモードのＰＯＳ端末２０−３の客側表示部２０５における表示例である。具体的には、図８（Ｅ）は、釣り銭が取り去られた際に表示する精算画面（レシート画面）の表示内容を示している。例えば、ＰＯＳ端末２０−３は、釣銭機２０９の取出口から釣り銭が取り去られた場合に、図８（Ｅ）に示したようなレシート画面を表示する。なお、ＰＯＳ端末２０は、取出口の近傍にフォトセンサ等のセンサを設置し、該センサが物（客の手を想定）を認識した場合に、釣り銭が取り去られたと判定してもよい。図８（Ｆ）は、休止モード（休止状態）であるときに表示する休止画面である。
【００７３】
なお、ＰＯＳ端末２０−３は、レシート画面（図８（Ｅ））の表示後には、登録開始画面（図７（Ａ））を表示する。例えば、ＰＯＳ端末２０−３は、印刷部２１３の発行口からレシートが取り去られた後に、登録開始画面を表示する。なお、ＰＯＳ端末２０は、発行口からレシートが取り去られたことを認識可能なセンサを備えていてもよい。また、釣り銭が発生しない場合には、釣銭画面（図８（Ｄ））を表示せずに、入金画面（図８（Ｃ））からレシート画面（図８（Ｅ））に遷移してもよい。
【００７４】
図９（Ａ）は、通常モードのＰＯＳ端末２０−１の店員側表示部２１０における表示例である。具体的には、図９（Ａ）は、商品が未だ１品も登録されていない状態の登録画面（初期状態の登録画面）の表示内容を示している。図９（Ａ）において、画面右上の表示欄ＨＲ０１は、客からの預り金額を示している。画面左下の画像ＧＡ０２は、他端末（ＰＯＳ端末２０−２）の状態（具体的には通常モードである旨）を示している。画面左下の画像ＧＡ０３は、他端末（ＰＯＳ端末２０−３）の状態（具体的にはフルセルフモードである旨）を示している。
【００７５】
図９（Ｂ）は、通常モードのＰＯＳ端末２０−１の客側表示部２０５における表示例である。具体的には、図９（Ｂ）は、商品が未だ１品も登録されていない状態であって、かつ、支払方法について未だ決定されていない状態（支払方法の決定も現金の投入もなされていない状態）の表示内容を示している。つまり、ＰＯＳ端末２０−１は、店員側表示部２１０において図９（Ａ）に示したように登録画面（初期状態の登録画面）を表示し、かつ、支払方法について未だ決定されていないときは、客側表示部２０５において図９（Ｂ）に示したように小画面（小ウィンドウ）ＳＧ０１を精算画面（入金画面）に重畳させて表示する。
【００７６】
小画面ＳＧ０１は、支払方法を客に選択させるものである。客は、小画面ＳＧ０１において、支払方法として現金、クレジットまたは電子マネーの何れかを選択する。客は、支払方法として現金を希望する場合には、小画面ＳＧ０１において支払方法として現金を選択する前に現金（預り金）を投入してもよい。ＰＯＳ端末２０−１は、小画面ＳＧ０１において何れかの支払方法が選択された場合には小画面ＳＧ０１を消去する。また、ＰＯＳ端末２０−１は、小画面ＳＧ０１において支払方法が選択される前に現金の投入があった場合には支払方法として現金が選択されたものとして処理し、小画面ＳＧ０１を消去する。
【００７７】
図１０（Ａ）は、通常モードのＰＯＳ端末２０−１の店員側表示部２１０における表示例である。具体的には、図１０（Ａ）は、１品目の商品（缶ビール）が登録され、かつ、支払方法について未だ決定されていない場合（支払方法の決定も現金の投入もなされていない場合）の登録画面の表示内容を示している。つまり、ＰＯＳ端末２０−１は、店員側表示部２１０に図９（Ａ）の登録画面（初期状態の登録画面）を表示している状態から、店員によって缶ビールが登録された場合、店員側表示部２１０に図１０（Ａ）に示したような登録画面を表示する。
【００７８】
図１０（Ａ）において、画面右下の小計ボタンＢＴ１０は、商品登録の終了を指示するためのボタンである。店員は、商品登録が完了した後に小計ボタンＢＴ１０を操作（タッチ）する。
【００７９】
２０−２レジボタンＢＴ１２は、２０−２レジ（ＰＯＳ端末２０−２）を指定するためボタンである。店員は、登録情報を送信（ストアコントローラ１０経由も含む。以下同様））する端末としてＰＯＳ端末２０−２を指定する場合には２０−２レジボタンＢＴ１２を操作する。２０−２レジボタンＢＴ１２に示された「（通常）」は、２０−２レジボタンＢＴ１２に対応するＰＯＳ端末２０−２の動作モードが通常モードである旨を示している。
【００８０】
２０−３レジボタンＢＴ１３は、２０−３レジ（ＰＯＳ端末２０−３）を指定するためボタンである。店員は、登録情報を送信する端末としてＰＯＳ端末２０−３を指定する場合には２０−３レジボタンＢＴ１３を操作する。２０−３レジボタンＢＴ１３に示された「（フルセルフ）」は、２０−３レジボタンＢＴ１３に対応するＰＯＳ端末２０−３の動作モードがフルセルフモードである旨を示している。
【００８１】
お会計券ボタンＢＴ１５は、印刷部２１３にてお会計券を発行させるためのボタンである。店員は、お会計券を読み取ったＰＯＳ端末２０（客がお会計券を読み取らせたＰＯＳ端末２０）において処理を実行させる場合にはお会計券ボタンＢＴ１５を操作する。
【００８２】
なお、登録情報の送信先のＰＯＳ端末２０として、通常モードのＰＯＳ端末２０とフルセルフモードのＰＯＳ端末２０とを比較した場合、通常モードのＰＯＳ端末２０よりもフルセルフモードのＰＯＳ端末２０の方が、登録情報の送信先として好ましい。通常モードのＰＯＳ端末２０は、基本的に店員が付いて操作を行うものであるため（図５（Ａ）参照）、処理（例えば、登録処理、客対応等）が継続して存在し、登録情報を送信したとしても直ぐに処理できない可能性が高く、また仮に空いているとしても（店員も客も付いていないとしても）、店員のサポートを希望する客に直ちに対応するため基本的に空けておくことが好ましいのに対し、フルセルフモードのＰＯＳ端末２０は、客が付いていなければ登録情報を送信し直ぐに処理可能であり、仮に客が付いていたとしても単に順番に処理すればよく上述のような問題は生じ難いからである。
【００８３】
つまり、一般に、通常モードのＰＯＳ端末２０は店員利用状態であるが、フルセルフモードのＰＯＳ端末２０は店員非利用状態である。店員利用状態の通常モードのＰＯＳ端末２０に登録情報を送信すると却って処理が滞って非効率となる虞がある。従って、登録情報の送信先としては、店員利用状態の通常モードのＰＯＳ端末２０よりも店員非利用状態のフルセルフモードのＰＯＳ端末２０の方が適している。
【００８４】
上記に鑑み、登録情報の送信先のＰＯＳ端末２０として好ましいか否か、あるいは、登録情報の送信先が複数存在する場合においてどれがより好ましいかを店員に報知するようにしている。一例として、図１０（Ａ）では、登録情報の送信先として比較的好ましいフルセルフモードのＰＯＳ端末２０−３に対応する２０−３レジボタンＢＴ１３の輪郭部分を実線で示し、登録情報の送信先として比較的好ましくない通常モードのＰＯＳ端末２０−２に対応する２０−２レジボタンＢＴ１２の輪郭部分を破線で示している。なお、上述の輪郭部分による報知は、一例であって、登録情報の送信先のＰＯＳ端末２０として好ましいか否か、あるいは、登録情報の送信先が複数存在する場合においてどれがより好ましいかを店員が認識できるものであれば報知態様は限定しない。例えば、比較的好ましくない方はボタンの背景色をグレーダウン表示するようにしてもよいし、ボタン全体に罰印や斜線を付加してもよい。また、登録情報の送信先のＰＯＳ端末２０として好ましいか否か等に応じて、ボタンの表示サイズ、形、表示位置を異ならせてもよいし、ボタンに何らかの情報（「優先」や「推奨」と記したバッヂ風の画像等）を付してもよい。
【００８５】
上記に鑑み、詳細は後述するが、店員利用状態の通常モードのＰＯＳ端末２０への登録情報の送信を禁止する場合もある（例えば図１８（Ａ）や図１８（Ｂ）の「しないボタンＢＴ２２」の操作等があった場合に禁止する）。店員利用状態の通常モードのＰＯＳ端末２０への登録情報の送信を禁止すれば、非効率となることもなく、全体として効率的に処理をすることができるようになる。
【００８６】
また、詳細は後述するが、店員利用状態の通常モードのＰＯＳ端末２０への登録情報の送信の禁止を解除する場合もある（例えば図１８（Ａ）の「するボタンＢＴ２３」や図１８（Ｂ）の「する（精算だけ）ボタンＢＴ２４」や「する（登録も）ボタンＢＴ２４」のの操作等があった場合に禁止を解除する）。つまり、店員利用状態の端末に登録情報を送信しても非効率とならないような場合には、適宜、登録情報を送信できるため、効率的に処理をすることができる。あるいは、店員利用状態の端末に登録情報を送信しないと却って非効率となるような場合には、適宜、登録情報を送信できるため、効率的に処理をすることができる。なお、店員利用状態の端末に登録情報を送信しても非効率とならないような場合とは、例えば、店員が付いてはいるものの登録情報を送信すれば直ぐに処理できる場合や、実際には店員が付いていない場合等である。店員利用状態の端末に登録情報を送信しないと却って非効率となるような場合とは、例えば、ハードウェア上又はソフトウェア上の故障や釣り銭不足等のため自端末において現金の精算ができない場合、ハードウェア上又はソフトウェア上の故障や用紙切れ等のため自端末においてレシートの発行ができない場合、ハードウェア上又はソフトウェア上の故障や当該決済に未対応のため特定の決済種別（クレジットカード決済、電子マネー決済等）の精算ができない場合等である。
【００８７】
図１０（Ｂ）は、通常モードのＰＯＳ端末２０−１の客側表示部２０５における表示例である。ＰＯＳ端末２０−１は、店員側表示部２１０において図１０（Ａ）に示したような登録画面を表示しているときは、客側表示部２０５において図１０（Ｂ）に示したように小画面ＳＧ０１を精算画面（入金画面）に重畳させて表示する。なお、図９（Ｂ）の精算画面（入金画面）では商品が登録されていなかったため合計金額は０円であったが、図１０（Ｂ）の精算画面（入金画面）では２１５円の缶ビールが登録されているため合計金額は２１５となっている。
【００８８】
図１１（Ａ）は、通常モードのＰＯＳ端末２０−１の店員側表示部２１０における表示例である。具体的には、図１１（Ａ）は、１品目の商品（缶ビール）が登録され、かつ、５００円が投入されている場合の登録画面の表示内容を示している。つまり、ＰＯＳ端末２０−１は、店員側表示部２１０に図１０（Ａ）の登録画面を表示している状態から、客によって５００円が投入された場合、店員側表示部２１０に図１１（Ａ）に示したような登録画面を表示する。
【００８９】
客が５００円を投入したため、図１１（Ａ）において、画面右上の表示欄ＨＲ０１には５００が表示されている。また、５００円を投入したことにより、自端末（ＰＯＳ端末２０−１）において精算するということになるため、他端末（ＰＯＳ端末２０−２、ＰＯＳ端末２０−３）において精算する場合に使用するボタン（２０−２レジボタンＢＴ１２、２０−３レジボタンＢＴ１３、お会計券ボタンＢＴ１５）を非表示としている（消去している）。
【００９０】
図１１（Ｂ）は、通常モードのＰＯＳ端末２０−１の客側表示部２０５における表示例である。ＰＯＳ端末２０−１は、店員側表示部２１０において図１１（Ａ）に示したような登録画面を表示しているときは、図１１（Ｂ）に示したように精算画面（入金画面）を客側表示部２０５に表示する。なお、客によって５００円が投入されたため、小画面ＳＧ０１は消去されている。
【００９１】
図１２（Ａ）は、通常モードのＰＯＳ端末２０−１の店員側表示部２１０における表示例である。具体的には、図１２（Ａ）は、３品目の商品（のり弁当）が登録され、かつ、５００円が追加投入された場合における登録画面の表示内容を示している。つまり、ＰＯＳ端末２０−１は、店員側表示部２１０に図１１（Ａ）の登録画面を表示している状態から、店員によって２品目の商品（アスパラ）、３品目の商品（のり弁当）が登録され、客によって更に５００円が投入された場合、店員側表示部２１０に図１２（Ａ）に示したような登録画面を表示する。客が５００円を追加投入したため、図１２（Ａ）において、画面右上の表示欄ＨＲ０１には１０００が表示されている。
【００９２】
図１２（Ｂ）は、通常モードのＰＯＳ端末２０−１の客側表示部２０５における表示例である。ＰＯＳ端末２０−１は、店員側表示部２１０に図１２（Ａ）に示したような登録画面を表示しているときは、図１２（Ｂ）に示したように精算画面（入金画面）を客側表示部２０５に表示する。
【００９３】
図１３（Ａ）を説明する前に図１３（Ｂ）について説明する。図１３（Ｂ）は、通常モードのＰＯＳ端末２０−１の客側表示部２０５における表示例である。具体的には、図１３（Ｂ）は、預り金額を決定する際に表示する精算画面（入金画面）の表示内容を示している。つまり、ＰＯＳ端末２０−１は、店員側表示部２１０に図１２（Ａ）の登録画面を表示している状態から、店員によって小計ボタンＢＴ１０が操作された場合、客側表示部２０５に図１３（Ｂ）に示したような精算画面（入金画面）を表示する。
【００９４】
図１３（Ａ）は、通常モードのＰＯＳ端末２０−１の店員側表示部２１０における表示例である。ＰＯＳ端末２０−１は、客側表示部２０５において図１３（Ｂ）に示したような精算画面を表示しているときは、店員側表示部２１０において図１３（Ａ）に示したように小画面（小ウィンドウ）ＳＧ０２を登録画面に重畳させて表示する。小画面ＳＧ０２は、精算関連の情報（合計金額、機器入金額（預り金額））を店員に報知するものである。
【００９５】
図１４（Ａ）を説明する前に図１４（Ｂ）について説明する。図１４（Ｂ）は、通常モードのＰＯＳ端末２０−１の客側表示部２０５における表示例である。具体的には、図１４（Ｂ）は、釣り銭を放出する際に表示する精算画面（釣銭画面）の表示内容を示している。つまり、ＰＯＳ端末２０−１は、客側表示部２０５に図１３（Ｂ）の精算画面（入金画面）を表示している状態から、客によっておわり（レシート）ボタンＢＴ４０が操作された場合、客側表示部２０５に図１４（Ｂ）に示したような精算画面（釣銭画面）を表示する。
【００９６】
図１４（Ａ）は、通常モードのＰＯＳ端末２０−１の店員側表示部２１０における表示例である。ＰＯＳ端末２０−１は、客側表示部２０５において図１４（Ｂ）に示したような精算画面（釣銭画面）を表示しているときは、店員側表示部２１０において図１４（Ａ）に示したようにメッセージ画面ＭＧ１を登録画面に重畳させて表示する。メッセージ画面ＭＧ１は、釣り銭に関するメッセージを店員に報知するものである。
【００９７】
図１４以降は図示を省略したが、客側表示部２０５には図８（Ｅ）と同様の精算画面（レシート画面）を表示するとともに、店員側表示部２１０には精算画面（レシート画面）に応じたメッセージを表示する。
【００９８】
（登録情報を送信する場合）
続いて、他の流れについて説明する。図１５（Ａ）は、通常モードのＰＯＳ端末２０−１の店員側表示部２１０における表示例である。具体的には、図１５（Ａ）は、図１２（Ａ）の時点（３品目の商品が登録された時点）において、支払方法について未だ決定されていない場合（支払方法の決定も現金の投入もなされていない場合）の登録画面の表示内容を示している。
【００９９】
未だ現金が投入されていないため、図１５（Ａ）において、画面右上の表示欄ＨＲ０１には０が表示されている。また、自端末（ＰＯＳ端末２０−１）において精算する可能性も、他端末（ＰＯＳ端末２０−２、ＰＯＳ端末２０−３）において精算する可能性もあるため、自端末において精算する場合に使用するボタン（小計ボタンＢＴ１０）も、他端末において精算する場合に使用するボタン（２０−２レジボタンＢＴ１２、２０−３レジボタンＢＴ１３、お会計券ボタンＢＴ１５）も表示している。
【０１００】
図１５（Ｂ）は、通常モードのＰＯＳ端末２０−１の客側表示部２０５における表示例である。ＰＯＳ端末２０−１は、店員側表示部２１０において図１５（Ａ）に示したような登録画面を表示しているときは、客側表示部２０５において図１５（Ｂ）に示したように小画面ＳＧ０１を精算画面（入金画面）に重畳させて表示する。
【０１０１】
図１６（Ａ）は、通常モードのＰＯＳ端末２０−１の店員側表示部２１０における表示例である。ＰＯＳ端末２０−１は、図１５（Ａ）に示した状態から、店員によって２０−３レジボタンＢＴ１３が操作された場合（つまりフルセルフモードであるＰＯＳ端末２０−３が指定された場合）、店員側表示部２１０に図１６（Ａ）に示したようなメッセージ画面ＭＧ２を表示する。メッセージ画面ＭＧ２は、当該指定端末（ＰＯＳ端末２０−３）に登録情報を送信した旨を店員に報知するものである。なお、ＰＯＳ端末２０−１は、表示後暫くしたらメッセージ画面ＭＧ２を消去し、登録画面（初期状態の登録画面）を表示してもよい。
【０１０２】
図１６（Ｂ）は、通常モードのＰＯＳ端末２０−１の客側表示部２０５における表示例である。ＰＯＳ端末２０−１は、店員側表示部２１０において図１６（Ａ）に示したようにメッセージ画面ＭＧ２を表示しているときは、客側表示部２０５において図１６（Ｂ）に示したようにメッセージ画面ＭＧ３を精算画面（入金画面）に重畳させて表示する。メッセージ画面ＭＧ３は、他端末（具体的には指定端末であるＰＯＳ端末２０−３）において精算を行う旨（つまり、精算のため他端末に移動してほしい旨）を客に報知するものである。なお、メッセージ画面ＭＧ３の表示中は、操作（現金の投入等）は効かなくなる。また、ＰＯＳ端末２０−１は、表示後暫くしたらメッセージ画面ＭＧ３を消去し、図９（Ｂ）に示したような精算画面（支払方法選択画面）を表示してもよい。
【０１０３】
図１７（Ａ）は、フルセルフモードのＰＯＳ端末２０−３の客側表示部２０５における表示例である。具体的には、図１７（Ａ）は、登録情報を他端末から取得した場合の精算画面の表示内容を示している。つまり、ＰＯＳ端末２０−１が登録情報をＰＯＳ端末２０−３に送信された登録情報を受信したＰＯＳ端末２０−３は、図１７（Ａ）に示したように精算画面（支払方法選択画面）を客側表示部２０５に表示する。なお、ＰＯＳ端末２０−３は、他の客の操作中に登録情報を受信した場合には、当該他の客の処理終了後に精算画面（支払方法選択画面）を表示してもよい。
【０１０４】
（指定端末側における登録処理）
他端末に登録情報を送信した場合、該登録情報の受信側である指定端末側において登録処理を行わずに精算処理を実行してもよいし、該登録情報の受信側である指定端末側において更に登録処理を実行してもよい。上記例で言えば、通常モードのＰＯＳ端末２０−１側において３品（缶ビール、アスパラ、のり弁当）を登録した登録情報をフルセルフモードのＰＯＳ端末２０−３に送信した場合（図１６（Ａ）（Ｂ）参照）、フルセルフモードのＰＯＳ端末２０−３側では、当該３品の登録情報を用いて直ちに精算処理を開始してもよいし（図１７（Ａ）参照）、直ちに精算処理を開始するのではなく４品目以降を追加登録してもよい。
【０１０５】
図１７（Ｂ）は、通常モードのＰＯＳ端末２０−１の店員側表示部２１０における表示例である。ＰＯＳ端末２０−１は、店員側表示部２１０に図１６（Ａ）に示したようなメッセージ画面ＭＧ２を表示する前に、店員側表示部２１０において図１７（Ｂ）に示したように小画面（小ウィンドウ）ＳＧ０３を登録画面に重畳させて表示してもよい。つまり、図１５（Ａ）に示した状態から、店員によって２０−３レジボタンＢＴ１３が操作された場合（つまりフルセルフモードであるＰＯＳ端末２０−３が指定された場合）に、図１７（Ｂ）に示したような小画面ＳＧ０３を表示してもよい。
【０１０６】
図１７（Ｂ）の小画面ＳＧ０３は、当該指定端末（ＰＯＳ端末２０−３）の動作モードがフルセルフモードである旨を店員に報知するものであるとともに、当該指定端末において登録情報に基づいて登録処理を行わずに精算処理だけを行うか、当該指定端末において登録情報に基づいて登録処理も行うかを送信側の店員に選択させるものである。すなわち、ＰＯＳ端末２０−１の店員は、当該指定端末において登録情報に基づいて登録処理を行わずに精算処理だけを行わせる場合には「精算処理だけ行うボタンＢＴ２０」を操作し、当該指定端末において登録処理も行わせる場合には「登録処理も行うボタンＢＴ２１」を操作する。なお、小画面ＳＧ０３の表示中は、小画面ＳＧ０３上の操作（「精算処理だけ行うボタンＢＴ２０」、「登録処理も行うボタンＢＴ２１の操作」）が優先され、他の操作（登録画面上の操作、商品登録等）は効かなくなる。なお、小画面ＳＧ０３に戻るボタン（操作された場合に図１５（Ａ）に示した状態に戻るボタン）を設けるようにしてもよい。
【０１０７】
図１７（Ｂ）の小画面ＳＧ０３の「精算処理だけ行うボタンＢＴ２０」が操作された場合、ＰＯＳ端末２０−１は、小画面ＳＧ０３を消去するとともに、指定端末（ＰＯＳ端末２０−３）に対し、当該指定端末おいて精算処理から開始されるように登録情報を送信する。指定端末において精算処理から開始されるように登録情報を送信する態様としては種々の態様が考えられるが、例えば、ＰＯＳ端末２０−１は、精算処理から開始される旨を指定端末側において認識できる態様で登録情報を指定端末に送信してもよい。一例として、ＰＯＳ端末２０−１は、精算処理から開始される旨の情報（フラグ）を付加した登録情報を指定端末に送信してもよい。また、ＰＯＳ端末２０−１は、精算処理から開始される旨の情報（フラグ）とともに登録情報を指定端末に送信してもよい。
【０１０８】
図１７（Ｂ）の小画面ＳＧ０３の「登録処理も行うボタンＢＴ２１」が操作された場合、ＰＯＳ端末２０−１は、小画面ＳＧ０３を消去するとともに、指定端末（ＰＯＳ端末２０−３）に対し、当該指定端末おいて登録処理から開始されるように登録情報を送信する。指定端末において登録処理から開始されるように登録情報を送信する態様としては種々の態様が考えられるが、例えば、ＰＯＳ端末２０−１は、登録処理から開始される旨を指定端末側において認識（判断）できる態様で登録情報を指定端末に送信してもよい。一例として、ＰＯＳ端末２０−１は、登録処理から開始される旨の情報（フラグ）を付加した登録情報を指定端末に送信してもよいし、登録処理から開始される旨の情報（フラグ）とともに登録情報を指定端末に送信してもよい。
【０１０９】
なお、指定端末において精算処理から開始させる場合、または、指定端末において登録処理から開始させる場合の何れか一方に情報（フラグ）を付加し、指定端末側において当該情報が付加されているか否かに基づいて精算処理から開始するか登録処理から開始するかを認識してもよい。
【０１１０】
図１５（Ａ）に示した状態から店員によって２０−３レジボタンＢＴ１３が操作された場合（つまりフルセルフモードであるＰＯＳ端末２０−３が指定された場合）に、図１７（Ｂ）に示したような小画面ＳＧ０３を表示する態様においては、ＰＯＳ端末２０−１は、小画面ＳＧ０３の「精算処理だけ行うボタンＢＴ２０」または「登録処理も行うボタンＢＴ２１」が操作されたことに基づいて登録情報を指定端末に送信した後に、店員側表示部２１０に図１６（Ａ）に示したようなメッセージ画面ＭＧ２を表示してもよい。
【０１１１】
図１８（Ａ）は、通常モードのＰＯＳ端末２０−１の店員側表示部２１０における表示例である。ＰＯＳ端末２０−１は、図１５（Ａ）に示した状態から、店員によって２０−２レジボタンＢＴ１２が操作された場合（つまり通常モードであるＰＯＳ端末２０−２が指定された場合）には、図１８（Ａ）に示したような小画面（小ウィンドウ）ＳＧ０４を店員側表示部２１０に表示する。
【０１１２】
図１８（Ａ）の小画面ＳＧ０４は、当該指定端末（ＰＯＳ端末２０−２）の動作モードが通常モードである旨や当該指定端末が他の店員によって利用中である旨を店員に報知するものであるとともに、当該指定端末に登録情報を送信しないか、当該指定端末に登録情報を送信するかを送信側の店員に選択させるものである。すなわち、ＰＯＳ端末２０−１の店員は、当該指定端末に登録情報を送信しない場合には「しないボタンＢＴ２２」を操作し、当該指定端末に登録情報を送信する場合には「するボタンＢＴ２３」を操作する。なお、小画面ＳＧ０４の表示中は、小画面ＳＧ０４上の操作（「しないボタンＢＴ２２」、「するボタンＢＴ２３の操作」）が優先され、他の操作（登録画面上の操作、商品登録等）は効かなくなる。
【０１１３】
図１８（Ａ）の小画面ＳＧ０４の「しないボタンＢＴ２２」が操作された場合、ＰＯＳ端末２０−１は、単に、小画面ＳＧ０４を消去する（図１５（Ａ）の状態に戻る）。つまり、指定端末（ＰＯＳ端末２０−２）に登録情報を送信しない。
【０１１４】
図１８（Ａ）の小画面ＳＧ０４の「するボタンＢＴ２３」が操作された場合、図１７（Ｂ）の小画面ＳＧ０３の「精算処理だけ行うボタンＢＴ２０」が操作された場合と同様に、ＰＯＳ端末２０−１は、小画面ＳＧ０４を消去するとともに、指定端末（ＰＯＳ端末２０−２）に対し、当該指定端末おいて精算処理から開始されるように登録情報を送信する。
【０１１５】
図１８（Ｂ）は、通常モードのＰＯＳ端末２０−１の店員側表示部２１０における表示例である。ＰＯＳ端末２０−１は、図１８（Ａ）に示した小画面ＳＧ０４に代えて図１８（Ｂ）に示した小画面（小ウィンドウ）ＳＧ０５を店員側表示部２１０に表示してもよい。
【０１１６】
図１８（Ｂ）の小画面ＳＧ０５は、当該指定端末（ＰＯＳ端末２０−２）の動作モードが通常モードである旨や当該指定端末が他の店員によって利用中である旨を店員に報知するものであるとともに、当該指定端末に登録情報を送信するか否かや指定先端末において登録処理も行うか否かを送信側の店員に選択させるものである。すなわち、ＰＯＳ端末２０−１の店員は、当該指定端末に登録情報を送信しない場合には「しないボタンＢＴ２２」を操作し、当該指定端末に登録情報を送信する場合であって当該指定端末において登録情報に基づいて登録処理を行わずに精算処理だけを行わせる場合には「する（精算だけ）ボタンＢＴ２４」を操作し、当該指定端末に登録情報を送信する場合であって当該指定端末において登録処理も行わせる場合には「する（登録も）ボタンＢＴ２５」を操作する。なお、小画面ＳＧ０５の表示中は、小画面ＳＧ０５上の操作（「しないボタンＢＴ２２」、「する（精算だけ）ボタンＢＴ２４」、「する（登録も）ボタンＢＴ２５」の操作）が優先され、他の操作（登録画面上の操作、商品登録等）は効かなくなる。
【０１１７】
図１８（Ｂ）の小画面ＳＧ０５の「しないボタンＢＴ２２」が操作された場合、図１８（Ａ）の小画面ＳＧ０４の「しないボタンＢＴ２２」が操作された場合と同様に、ＰＯＳ端末２０−１は、単に、小画面ＳＧ０５を消去する。つまり、指定端末（ＰＯＳ端末２０−２）に登録情報を送信しない。
【０１１８】
図１８（Ｂ）の小画面ＳＧ０５の「する（精算だけ）ボタンＢＴ２４」が操作された場合、図１７（Ｂ）の小画面ＳＧ０３の「精算処理だけ行うボタンＢＴ２０」が操作された場合と同様に、ＰＯＳ端末２０−１は、小画面ＳＧ０５を消去するとともに、指定端末（ＰＯＳ端末２０−２）に対し、当該指定端末おいて精算処理から開始されるように登録情報を送信する。
【０１１９】
図１８（Ｂ）の小画面ＳＧ０５の「する（登録も）ボタンＢＴ２５」が操作された場合、図１７（Ｂ）の小画面ＳＧ０３の「登録処理も行うボタンＢＴ２１」が操作された場合と同様に、ＰＯＳ端末２０−１は、小画面ＳＧ０５を消去するとともに、指定端末（ＰＯＳ端末２０−２）に対し、当該指定端末おいて登録処理から開始されるように登録情報を送信する。
【０１２０】
なお、図１５（Ａ）に示した状態から店員によって２０−２レジボタンＢＴ１２が操作され（つまり通常モードであるＰＯＳ端末２０−２が指定され）、図１８（Ａ）に示したような小画面ＳＧ０４を表示した場合、ＰＯＳ端末２０−１は、小画面ＳＧ０４の「するボタンＢＴ２３」が操作されたことに基づいて登録情報を指定端末に送信した後に、店員側表示部２１０に図１６（Ａ）に示したようなメッセージ画面ＭＧ２（但し、送信先は「レジ２０−３」ではなく「レジ２０−２」）を表示してもよい。同様に、図１５（Ａ）に示した状態から店員によって２０−２レジボタンＢＴ１２が操作され、図１８（Ｂ）に示したような小画面ＳＧ０５を表示した場合、ＰＯＳ端末２０−１は、小画面ＳＧ０５の「する（精算だけ）ボタンＢＴ２４」または「する（登録も）ボタンＢＴ２５」が操作されたことに基づいて登録情報を指定端末に送信した後に、店員側表示部２１０に図１６（Ａ）に示したようなメッセージ画面ＭＧ２（但し、送信先は「レジ２０−３」ではなく「レジ２０−２」）を表示してもよい。
【０１２１】
図１９は、通常モードのＰＯＳ端末２０−１の客側表示部２０５における表示例である。ＰＯＳ端末２０−１は、店員側表示部２１０において図１７（Ｂ）に示したような小画面ＳＧ０３、図１８（Ａ）に示したような小画面ＳＧ０４、図１８（Ｂ）に示したような小画面ＳＧ０５を表示しているときは、客側表示部２０５において図１９に示したようにメッセージ画面ＭＧ４を精算画面（入金画面）に重畳させて表示する。メッセージ画面ＭＧ４は、他端末（指定端末）への処理の引き継ぎを確認している旨（つまり、少々待ってほしい旨、精算のため他端末に移動する可能性がある旨）を客に報知するものである。なお、メッセージ画面ＭＧ４の表示中は、操作（現金の投入等）は効かなくなる。
【０１２２】
（指定端末側における選択１）
登録情報の送信する指定端末側において、該登録情報の受信を許可するか否か、すなわち、該登録情報に基づく処理（登録処理、精算処理）を実行するか否かを選択できるようにしてもよい。
【０１２３】
図２０（Ａ）は、通常モードのＰＯＳ端末２０−２の店員側表示部２１０における表示例である。ＰＯＳ端末２０−１が図１８（Ａ）の小画面ＳＧ０４の「するボタンＢＴ２３」の操作に基づいて登録情報をＰＯＳ端末２０−２に送信した場合（または、図１８（Ｂ）の小画面ＳＧ０５の「する（精算だけ）ボタンＢＴ２４」の操作に基づいて登録情報をＰＯＳ端末２０−２に送信した場合）には、該登録情報を受信したＰＯＳ端末２０−２は、店員側表示部２１０に図２０（Ａ）に示したような小画面（小ウィンドウ）ＳＧ０６を表示してもよい。つまり、ＰＯＳ端末２０−２は、精算処理から開始される旨の情報を付加等した登録情報を受信した場合には、店員側表示部２１０に図２０（Ａ）に示したような小画面ＳＧ０６を表示してもよい。
【０１２４】
図２０（Ａ）の小画面ＳＧ０６は、当該端末（指定端末であるＰＯＳ端末２０−２）において登録情報に基づいて精算処理を行わないか、当該端末において登録情報に基づいて精算処理を行うかを受信側の店員に選択させるものである。すなわち、ＰＯＳ端末２０−２の店員は、精算処理を行わない場合には「しないボタンＢＴ２６」を操作し、精算処理を行う場合には「するボタンＢＴ２７」を操作する。なお、小画面ＳＧ０６の表示中は、小画面ＳＧ０６上の操作（「しないボタンＢＴ２６」、「するボタンＢＴ２７」の操作）が優先され、他の操作は効かなくなる。なお、ＰＯＳ端末２０−２は、他の客の処理中に登録情報を受信した場合には、当該他の客の処理途中に小画面ＳＧ０６を表示してもよい。
【０１２５】
ＰＯＳ端末２０−２は、図２０（Ａ）に示した小画面ＳＧ０６の「しないボタンＢＴ２６」が操作された場合、ＰＯＳ端末２０−１から送信された登録情報に基づく精算処理を行わない。例えば、ＰＯＳ端末２０−２は、当該登録情報を無視するとともに、当該登録情報の送信元であるＰＯＳ端末２０−１に精算処理をしない旨を通知してもよい。
【０１２６】
図２０（Ｂ）は、通常モードのＰＯＳ端末２０−２の客側表示部２０５における表示例である。ＰＯＳ端末２０−２は、図２０（Ａ）の小画面ＳＧ０６の「するボタンＢＴ２７」が操作された場合、客側表示部２０５に図２０（Ｂ）に示したような精算画面（支払方法選択画面）を表示してもよい。なお、ＰＯＳ端末２０−２は、他の客の操作中に「するボタンＢＴ２７」が操作された場合には、当該他の客の処理終了後に上記精算画面（支払方法選択画面）を表示してもよい。
【０１２７】
なお、ＰＯＳ端末２０−２は、実際にＰＯＳ端末２０−１から登録情報を受信する前に、図２０（Ａ）に示すように小画面ＳＧ０６を表示してもよい。例えば、ＰＯＳ端末２０−１は、図１８（Ａ）の小画面ＳＧ０４の「するボタンＢＴ２３」が操作された場合（または、図１８（Ｂ）の小画面ＳＧ０５の「する（精算だけ）ボタンＢＴ２４」が操作された場合）に、登録情報に基づく精算処理の可否の問い合せ情報を指定端末であるＰＯＳ端末２０−２に送信し、当該問い合せ情報を受信したＰＯＳ端末２０−２は、小画面ＳＧ０６を表示してもよい。その後、ＰＯＳ端末２０−１は、ＰＯＳ端末２０−２からの応答に基づいて登録情報をＰＯＳ端末２０−２に送信してもよい。具体的には、ＰＯＳ端末２０−１は、ＰＯＳ端末２０−２から精算処理をする旨（ＯＫ応答。小画面ＳＧ０６の「するボタンＢＴ２７）による応答）があった場合に、精算処理から開始される旨の情報（フラグ）を付加等した登録情報をＰＯＳ端末２０−２に送信してもよい。
【０１２８】
なお、図２０（Ａ）の小画面ＳＧ０６の表示を省略してもよい。つまり、ＰＯＳ端末２０−１が、図１８（Ａ）の小画面ＳＧ０４の「するボタンＢＴ２３」の操作に基づいて登録情報をＰＯＳ端末２０−２に送信した場合（または、図１８（Ｂ）の小画面ＳＧ０５の「する（精算だけ）ボタンＢＴ２４」の操作に基づいて登録情報をＰＯＳ端末２０−２に送信した場合）には、ＰＯＳ端末２０−２は、店員側表示部２１０に小画面ＳＧ０６を表示せずに、客側表示部２０５に図２０（Ｂ）の精算画面（支払方法選択画面）を表示してもよい。
【０１２９】
２０−１レジボタンＢＴ１１は、２０−１レジ（ＰＯＳ端末２０−１）を指定するためボタンである。店員は、登録情報を送信する端末としてＰＯＳ端末２０−１を指定する場合には２０−１レジボタンＢＴ１１を操作する。２０−１レジボタンＢＴ１１に示された「（通常）」は、２０−１レジボタンＢＴ１１に対応するＰＯＳ端末２０−１の動作モードが通常モードである旨を示している。
【０１３０】
図２１（Ａ）は、通常モードのＰＯＳ端末２０−２の店員側表示部２１０における表示例である。ＰＯＳ端末２０−１が図１８（Ｂ）の小画面ＳＧ０５の「する（登録も）ボタンＢＴ２５」の操作に基づいて登録情報をＰＯＳ端末２０−２に送信した場合には、該登録情報を受信したＰＯＳ端末２０−２は、店員側表示部２１０に図２１（Ａ）に示したような小画面（小ウィンドウ）ＳＧ０７を表示してもよい。つまり、ＰＯＳ端末２０−２は、登録処理から開始される旨の情報を付加等した登録情報を受信した場合には、店員側表示部２１０に図２１（Ａ）に示したような小画面ＳＧ０７を表示してもよい。
【０１３１】
図２１（Ａ）の小画面ＳＧ０７は、当該端末（指定端末であるＰＯＳ端末２０−２）において登録情報に基づいて登録処理を行わないか、当該端末において登録情報に基づいて登録処理を行うかを受信側の店員に選択させるものである。すなわち、ＰＯＳ端末２０−２の店員は、登録処理を行わない場合には「しないボタンＢＴ２６」を操作し、登録処理を行う場合には「するボタンＢＴ２７」を操作する。なお、小画面ＳＧ０７の表示中は、小画面ＳＧ０７上の操作（「しないボタンＢＴ２６」、「するボタンＢＴ２７」の操作）が優先され、他の操作は効かなくなる。なお、ＰＯＳ端末２０−２は、他の客の処理中に登録情報を受信した場合には、当該他の客の処理途中に小画面ＳＧ０７を表示してもよい。
【０１３２】
ＰＯＳ端末２０−２は、図２１（Ａ）に示した小画面ＳＧ０７の「しないボタンＢＴ２６」が操作された場合、ＰＯＳ端末２０−１から送信された登録情報に基づく登録処理を行わない。例えば、ＰＯＳ端末２０−２は、当該登録情報を無視するとともに、当該登録情報の送信元であるＰＯＳ端末２０−１に登録処理をしない旨を通知してもよい。
【０１３３】
図２１（Ｂ）は、通常モードのＰＯＳ端末２０−２の店員側表示部２１０における表示例である。ＰＯＳ端末２０−２は、図２１（Ａ）の小画面ＳＧ０７の「するボタンＢＴ２７」が操作された場合、店員側表示部２１０に図２１（Ｂ）に示したような登録画面を表示してもよい。なお、ＰＯＳ端末２０−２は、他の客の操作中に「するボタンＢＴ２７」が操作された場合には、当該他の客の処理終了後に上記登録画面を表示してもよい。
【０１３４】
なお、図２０（Ａ）の小画面ＳＧ０６と同様、ＰＯＳ端末２０−２は、実際にＰＯＳ端末２０−１から登録情報を受信する前に、図２１（Ａ）に示すように小画面ＳＧ０７を表示してもよい。例えば、ＰＯＳ端末２０−１は、図１８（Ｂ）の小画面ＳＧ０５の「する（登録も）ボタンＢＴ２５」が操作された場合に、登録情報に基づく登録処理の可否の問い合せ情報を指定端末であるＰＯＳ端末２０−２に送信し、当該問い合せ情報を受信したＰＯＳ端末２０−２は、小画面ＳＧ０７を表示してもよい。その後、ＰＯＳ端末２０−１は、ＰＯＳ端末２０−２からの応答に基づいて登録情報をＰＯＳ端末２０−２に送信してもよい。具体的には、ＰＯＳ端末２０−１は、ＰＯＳ端末２０−２から登録処理をする旨（ＯＫ応答。小画面ＳＧ０７の「するボタンＢＴ２７）による応答）があった場合に、登録処理から開始される旨の情報（フラグ）を付加等した登録情報をＰＯＳ端末２０−２に送信してもよい。
【０１３５】
また、図２０（Ａ）の小画面ＳＧ０６と同様、図２１（Ａ）の小画面ＳＧ０７の表示を省略してもよい。つまり、ＰＯＳ端末２０−１が、図１８（Ｂ）の小画面ＳＧ０５の「する（登録も）ボタンＢＴ２５」の操作に基づいて登録情報をＰＯＳ端末２０−２に送信した場合には、ＰＯＳ端末２０−２は、店員側表示部２１０に小画面ＳＧ０７を表示せずに、店員側表示部２１０に図２１（Ｂ）の登録画面を表示してもよい。
【０１３６】
（指定端末側における選択２）
登録情報の送信する指定端末側において、該登録情報に基づいて登録処理を実行するか否かを選択できるようにしてもよい。
【０１３７】
図２２（Ａ）は、通常モードのＰＯＳ端末２０−２の店員側表示部２１０における表示例である。ＰＯＳ端末２０−１が図１８（Ａ）の小画面ＳＧ０４の「するボタンＢＴ２３」の操作に基づいて登録情報をＰＯＳ端末２０−２に送信した場合には、該登録情報を受信したＰＯＳ端末２０−２は、店員側表示部２１０に図２２（Ａ）に示したような小画面（小ウィンドウ）ＳＧ０８を表示してもよい。つまり、登録情報の受信側である指定端末において精算処理だけを行わせるか登録処理も行わせるかを該登録情報の送信側において選択しない場合には、精算処理だけを行わせるか登録処理も行わせるかを指定端末側において選択するようにしてもよい。
【０１３８】
ＰＯＳ端末２０−２は、図２２（Ａ）の小画面ＳＧ０８の「精算処理だけ行うボタンＢＴ２８」が操作された場合、図２０（Ａ）の小画面ＳＧ０６の「するボタンＢＴ２７」が操作された場合と同様に、客側表示部２０５に図２０（Ｂ）に示したような精算画面（支払方法選択画面）を表示してもよい。なお、ＰＯＳ端末２０−２は、他の客の操作中に「精算処理だけ行うボタンＢＴ２８」が操作された場合には、当該他の客の処理終了後に上記精算画面（支払方法選択画面）を表示してもよい。
【０１３９】
ＰＯＳ端末２０−２は、図２２（Ａ）の小画面ＳＧ０８の「登録処理も行うボタンＢＴ２９」が操作された場合、図２１（Ａ）の小画面ＳＧ０７の「するボタンＢＴ２７」が操作された場合と同様に、店員側表示部２１０に図２１（Ｂ）に示したような登録画面を表示してもよい。なお、ＰＯＳ端末２０−２は、他の客の操作中に「登録処理も行うボタンＢＴ２９」が操作された場合には、当該他の客の処理終了後に上記登録画面を表示してもよい。
【０１４０】
なお、登録情報の受信側である指定端末において精算処理だけを行わせるか登録処理も行わせるかを該登録情報の送信側において選択しない場合（図１８（Ａ）の小画面ＳＧ０４の「するボタンＢＴ２３」の操作があった場合）に加えて、最終判断が受信側にある態様として、登録情報の受信側である指定端末において精算処理だけを行わせるか登録処理も行わせるかを該登録情報の送信側において選択する場合（図１８（Ｂ）の小画面ＳＧ０５の「する（精算だけ）ボタンＢＴ２４」や「する（登録のみ）ボタンＢＴ２５」の操作がった場合）においても、精算処理だけを行わせるか登録処理も行わせるかを指定端末側において選択できるようにしてもよい。
【０１４１】
図２２（Ｂ）は、通常モードのＰＯＳ端末２０−２の店員側表示部２１０における表示例である。ＰＯＳ端末２０−２は、図２２（Ａ）の小画面ＳＧ０８に代えて、図２２（Ｂ）に示したような小画面ＳＧ０９を表示してもよい。
【０１４２】
ＰＯＳ端末２０−２は、図２２（Ｂ）の小画面ＳＧ０９の「しないボタン」が操作された場合、図２０（Ａ）の小画面ＳＧ０６の「しないボタンＢＴ２６」が操作された場合や図２１（Ａ）の小画面ＳＧ０７の「しないボタンＢＴ２６」が操作された場合と同様に、ＰＯＳ端末２０−１から送信された登録情報に基づく処理を行わない。
【０１４３】
ＰＯＳ端末２０−２は、図２２（Ｂ）の小画面ＳＧ０９の「する（精算だけ）ボタン」が操作された場合、図２２（Ａ）の小画面ＳＧ０８の「精算処理だけ行うボタンＢＴ２８」が操作された場合と同様に、客側表示部２０５に図２０（Ｂ）に示したような精算画面（支払方法選択画面）を表示してもよい。なお、ＰＯＳ端末２０−２は、他の客の操作中に「する（精算だけ）ボタン」が操作された場合には、当該他の客の処理終了後に上記精算画面（支払方法選択画面）を表示してもよい。
【０１４４】
ＰＯＳ端末２０−２は、図２２（Ｂ）の小画面ＳＧ０９の「する（登録も）ボタン」が操作された場合、図２２（Ａ）の小画面ＳＧ０８の「登録処理も行うボタンＢＴ２９」が操作された場合と同様に、店員側表示部２１０に図２１（Ｂ）に示したような登録画面を表示してもよい。なお、ＰＯＳ端末２０−２は、他の客の操作中に「する（登録も）ボタン」が操作された場合には、当該他の客の処理終了後に上記登録画面を表示してもよい。
【０１４５】
（送信予約ボタン等が操作された場合）
続いて、更に他の流れについて説明する。図２３（Ａ）は、通常モードのＰＯＳ端末２０−１の店員側表示部２１０における表示例である。具体的には、図２３（Ａ）は、図１０（Ａ）に示した状態から、店員によって送信予約ボタン（非図示）が操作された場合における登録画面の表示内容を示している。送信予約ボタンとは、登録情報を送信する旨を予約（宣言）するためのボタンである。送信予約ボタンは、登録画面上に配置されていてもよいし、キー操作部２１１に配置されていてもよい。
【０１４６】
登録情報を送信する旨の予約があったため、図２３（Ａ）において、自端末（ＰＯＳ端末２０−１）において精算する場合に使用する小計ボタンＢＴ１０と、お会計券を発行する場合に使用するお会計券ボタンＢＴ１５を非表示としている（消去している）。
【０１４７】
図２３（Ｂ）は、通常モードのＰＯＳ端末２０−１の客側表示部２０５における表示例である。ＰＯＳ端末２０−１は、店員側表示部２１０において図２３（Ａ）に示したような登録画面を表示しているときは、客側表示部２０５において図２３（Ｂ）に示したように精算画面（入金画面）を表示する。
【０１４８】
登録情報を送信する旨の予約があったため（自端末における精算は行わないため）、図２３（Ｂ）において、支払方法を客に選択させる小画面ＳＧ０１を非表示としている（消去している）。また、図２３（Ｂ）の精算画面（入金画面）では、操作（現金の投入等）は効かなくなる。また、図２３（Ｂ）の精算画面（入金画面）では、他の場面（例えば図１０（Ｂ）等の場面）において表示する「↓お金を入れられます」なるメッセージに代えて、「ご精算は、他の装置で行います。」なるメッセージを表示している。
【０１４９】
ＰＯＳ端末２０は、送信予約ボタンに代えて又は加えて、お会計券発行予約ボタン（非図示）を備えていてもよい。お会計券発行予約ボタンとは、お会計券を発行する旨を予約（宣言）するためのボタンである。お会計券発行予約ボタンは、登録画面上に配置されていてもよいし、キー操作部２１１に配置されていてもよい。
【０１５０】
図２４（Ａ）は、通常モードのＰＯＳ端末２０−１の店員側表示部２１０における表示例である。具体的には、図２４（Ａ）は、図１０（Ａ）に示した状態から、店員によってお会計券発行予約ボタンが操作された場合における登録画面の表示内容を示している。お会計券を発行する旨の予約があったため、図２４（Ａ）において、自端末（ＰＯＳ端末２０−１）において精算する場合に使用する小計ボタンＢＴ１０と、ＰＯＳ端末２０−２に登録情報を送信する場合に使用する２０−２レジボタンＢＴ１２と、ＰＯＳ端末２０−３に登録情報を送信する場合に使用する２０−３レジボタンＢＴ１３を非表示としている（消去している）。
【０１５１】
なお、ＰＯＳ端末２０−１は、図２３（Ａ）に示したような登録画面を表示しているときと同様、店員側表示部２１０において図２４（Ａ）に示したような登録画面を表示しているときにも、客側表示部２０５において図２３（Ｂ）に示したように精算画面（入金画面）を表示する。
【０１５２】
ＰＯＳ端末２０は、送信予約ボタンやお会計券発行予約ボタンに代えて又は加えて、他端末精算予約ボタン（非図示）を備えていてもよい。他端末精算予約ボタンとは、他端末において精算する旨の予約（宣言）するためのボタンである。つまり、送信予約ボタンとお会計券発行予約ボタンの機能を兼ね備えたボタンである。他端末精算予約ボタンは、登録画面上に配置されていてもよいし、キー操作部２１１に配置されていてもよい。
【０１５３】
図２４（Ｂ）は、通常モードのＰＯＳ端末２０−１の店員側表示部２１０における表示例である。具体的には、図２４（Ｂ）は、図１０（Ａ）に示した状態から、店員によって他端末精算予約ボタン（非図示）が操作された場合における登録画面の表示内容を示している。他端末において精算する旨の予約があったため、図２４（Ｂ）において、自端末（ＰＯＳ端末２０−１）において精算する場合に使用する小計ボタンＢＴ１０を非表示としている（消去している）。
【０１５４】
なお、ＰＯＳ端末２０−１は、図２３（Ａ）に示したように登録画面を表示しているときと同様、店員側表示部２１０において図２４（Ｂ）に示したように登録画面を表示しているときにも、客側表示部２０５において図２３（Ｂ）に示したように精算画面（入金画面）を表示する。
【０１５５】
（ＰＯＳ端末２０の動作例）
図２５〜図３２は、ＰＯＳ端末２０の動作の一例を示すフローチャートである。なお、図２５〜図３２の説明において、ＰＯＳ端末２０は、他端末精算予約ボタン（非図示）を備えているものとする。
【０１５６】
（各フローチャートの概略）
まず、各フローチャートの概略を説明する。図２５のフローチャートは、通常モードのＰＯＳ端末２０−１において、登録処理の開始から（商品が未だ１品も登録されていない状態であって、現金の投入も決済種別（支払方法、支払種別、決済方法）の入力もされていない状態から）、ａ：１品目の商品登録、ｂ：現金の投入、ｃ：決済種別の入力、ｄ：他端末精算予約ボタンの操作のうち何れかがなされる迄の動作を示している。なお、上記のａ〜ｄは、説明の便宜上付したものである。
【０１５７】
図２６のフローチャートは、通常モードのＰＯＳ端末２０−１において、ａ：１品目の商品登録、ｂ：現金の投入、ｃ：決済種別の入力、ｄ：他端末精算予約ボタンの操作のうち、最初に、ａ：１品目の商品登録がなされた後の動作を示している。具体的には、図２６のフローチャートは、図２５においてａ：１品目の商品登録がなされてから、ｅ：小計ボタンＢＴ１０の操作、ｆ：送信ボタン（２０−２レジボタンＢＴ１２、２０−３レジボタンＢＴ１３）の操作、ｇ：お会計券ボタンＢＴ１５の操作、ｂ：現金の投入、ｃ：決済種別の入力、ｄ：他端末精算予約ボタンの操作のうち何れかがなされる迄の動作を示している。なお、上記のｅ〜ｇも、説明の便宜上付したものである。
【０１５８】
図２７（Ａ）のフローチャートは、通常モードのＰＯＳ端末２０−１において、ａ：１品目の商品登録、ｂ：現金の投入、ｃ：決済種別の入力、ｄ：他端末精算予約ボタンの操作のうち、最初に、ｂ：現金の投入（またはｃ：決済種別の入力）がなされた後の動作を示している。具体的には、図２７（Ａ）のフローチャートは、図２５においてｂ：現金の投入（またはｃ：決済種別の入力）がなされてから、ａ：１品目の商品登録がなされる迄の動作を示している。
【０１５９】
図２７（Ｂ）のフローチャートは、通常モードのＰＯＳ端末２０−１において、ａ：１品目の商品登録、ｂ：現金の投入、ｃ：決済種別の入力、ｄ：他端末精算予約ボタンの操作のうち、ａ：１品目の商品登録、及び、ｂ：現金の投入（またはｃ：決済種別の入力）がなされた後の動作を示している。具体的には、図２７（Ｂ）のフローチャートは、図２６においてｂ：現金の投入（またはｃ：決済種別の入力）がなされてから、ｅ：小計ボタンＢＴ１０の操作がなされる迄の動作を示している。また、図２７（Ｂ）のフローチャートは、図２７（Ａ）においてａ：１品目の商品登録がなされてから、ｅ：小計ボタンＢＴ１０の操作がなされる迄の動作も示している。
【０１６０】
図２８（Ａ）のフローチャートは、通常モードのＰＯＳ端末２０−１において、ａ：１品目の商品登録、ｂ：現金の投入、ｃ：決済種別の入力、ｄ：他端末精算予約ボタンの操作のうち、最初に、ｄ：他端末精算予約ボタンの操作がなされた後の動作を示している。具体的には、図２８（Ａ）のフローチャートは、図２５においてｄ：他端末精算予約ボタンの操作がなされてから、ａ：１品目の商品登録がなされる迄の動作を示している。
【０１６１】
図２８（Ｂ）のフローチャートは、通常モードのＰＯＳ端末２０−１において、ａ：１品目の商品登録、ｂ：現金の投入、ｃ：決済種別の入力、ｄ：他端末精算予約ボタンの操作のうち、ａ：１品目の商品登録、及び、ｄ：他端末精算予約ボタンの操作がなされた後の動作を示している。具体的には、図２８（Ｂ）のフローチャートは、図２６においてｄ：他端末精算予約ボタンの操作がなされてから、ｆ：送信ボタン（２０−２レジボタンＢＴ１２、２０−３レジボタンＢＴ１３）の操作（または、ｇ：お会計券ボタンＢＴ１５の操作）がなされる迄の動作を示している。また、図２８（Ｂ）のフローチャートは、図２８（Ａ）においてａ：１品目の商品登録がなされてから、ｆ：送信ボタン（２０−２レジボタンＢＴ１２、２０−３レジボタンＢＴ１３）の操作（または、ｇ：お会計券ボタンＢＴ１５の操作）がなされる迄の動作を示している。
【０１６２】
図２９（Ａ）のフローチャートは、ｅ：小計ボタンＢＴ１０の操作がなされた後の動作を示している。具体的には、図２９（Ａ）のフローチャートは、図２６においてｅ：小計ボタンＢＴ１０の操作がなされてから、精算処理が完了する迄の動作を示している。また、図２９（Ａ）のフローチャートは、図２７（Ｂ）においてｅ：小計ボタンＢＴ１０の操作がなされてから、精算処理が完了する迄の動作を示している。
【０１６３】
図２９（Ｂ）のフローチャートは、ｇ：お会計券ボタンＢＴ１５の操作がなされた後の動作を示している。具体的には、図２９（Ｂ）のフローチャートは、図２６においてｇ：お会計券ボタンＢＴ１５の操作がなされてから、お会計券を発行する迄の動作を示している。また、図２９（Ｂ）のフローチャートは、図２８（Ｂ）においてｇ：お会計券ボタンＢＴ１５の操作がなされてから、お会計券を発行する迄の動作を示している。
【０１６４】
図３０のフローチャートは、ｆ：送信ボタン（２０−２レジボタンＢＴ１２、２０−３レジボタンＢＴ１３）の操作がなされた後の動作を示している。具体的には、図３０のフローチャートは、図２６においてｆ：送信ボタンの操作がなされてから、他端末に登録情報を送信する迄の動作を示している。また、図３０のフローチャートは、図２８（Ｂ）においてｆ：送信ボタンの操作がなされてから、他端末に登録情報を送信する迄の動作を示している。
【０１６５】
図３１のフローチャートは、ｆ：送信ボタン（２０−３レジボタンＢＴ１３）の操作がなされた後の他の動作を示している。具体的には、図３１のフローチャートは、図３０の破線の矩形Ｐに示した処理の変形例（変形例１）を示している。
【０１６６】
図３２（Ａ）のフローチャートは、ｆ：送信ボタン（２０−３レジボタンＢＴ１３）の操作がなされた後の他の動作を示している。具体的には、図３２（Ａ）のフローチャートは、図３０の破線の矩形Ｐに示した処理の変形例（変形例２）を示している。図３２（Ｂ）のフローチャートは、図３２（Ａ）の処理に対応する、指定端末（通常モードであるＰＯＳ端末２０−２）側の動作を示している。
【０１６７】
（図２５のフローチャートの説明）
図２５のフローチャートの開始時において、ＰＯＳ端末２０−１は、商品が未だ１品も登録されていない状態であり、かつ、現金の投入も決済種別の入力もされていない状態であるものとする。つまり、図２５のフローチャートの開始時において、ＰＯＳ端末２０−１の店員側表示部２１０には、例えば図９（Ａ）に示したような登録画面（初期状態の登録画面）が表示されているものとする。
【０１６８】
ステップＳ１００：ＰＯＳ端末２０−１は、商品がスキャン等（店員側スキャナ部２１２によるスキャン、店員側表示部２１０へのタッチ）されたか否かを判断する。つまり、ＰＯＳ端末２０−１は、１品目の商品登録があったか否かを判断する。商品がスキャン等された場合にはステップＳ１１０に進む。商品がスキャン等されていない場合にはステップＳ１２８に進む。
【０１６９】
ステップＳ１１０：ＰＯＳ端末２０−１は、スキャン等された商品を登録する。続いてステップＳ１２０に進む。
ステップＳ１２０：ＰＯＳ端末２０−１は、例えば図１０（Ａ）に示したように、小計ボタンＢＴ１０、送信ボタン（２０−２レジボタンＢＴ１２、２０−３レジボタンＢＴ１３）、お会計券ボタンＢＴ１５を表示する。続いて図２６のステップＳ２００に進む。
【０１７０】
ステップＳ１２８：ＰＯＳ端末２０−１は、釣銭機２０９に現金が投入されたか否かを判断する。現金が投入された場合にはステップＳ１５０に進む。現金が投入されていない場合にはステップＳ１３０に進む。
ステップＳ１３０：ＰＯＳ端末２０−１は、決済種別が入力されたか否かを判断する。決済種別が入力された場合にはステップＳ１６０に進む。決済種別が入力されていない場合にはステップＳ１４０に進む。
【０１７１】
ステップＳ１４０：ＰＯＳ端末２０−１は、他端末精算予約ボタンが操作されたか否かを判断する。他端末精算予約ボタンが操作された場合にはステップＳ１７０に進む。他端末精算予約ボタンが操作されていない場合にはステップＳ１００に戻る。
【０１７２】
ステップＳ１５０：ＰＯＳ端末２０−１は、投入された現金を預り金として計上する。続いてステップＳ１６０に進む。
【０１７３】
ステップＳ１６０：ＰＯＳ端末２０−１は、送信等（登録情報の送信、お会計券の発行）を禁止設定する。具体的には、ＰＯＳ端末２０−１は、本ステップ（ステップＳ１６０）以降、送信ボタン（２０−２レジボタンＢＴ１２、２０−３レジボタンＢＴ１３）及びお会計券ボタンＢＴ１５を表示しないように制御する。例えば、送信ボタン及びお会計券ボタンＢＴ１５の夫々について表示／非表示を決定する際に参照するフラグを設けておき、本ステップにおいて当該フラグを非表示に設定してもよい。下記ステップＳ１７０の小計ボタンＢＴ１０についても同様である。続いて図２７（Ａ）のステップＳ３００に進む。
【０１７４】
ステップＳ１７０：ＰＯＳ端末２０−１は、当該端末（ＰＯＳ端末２０−１）における精算処理を禁止設定する。具体的には、ＰＯＳ端末２０−１は、本ステップ（ステップＳ１７０）以降、現金の投入及び決済種別の入力を受け付けないように制御し、また、小計ボタンＢＴ１０を表示しないように制御する。現金の投入を受け付けない方法としては、例えば、機械的に現金の投入口が開放されないようにしてもよい。決済種別の入力を受け付けない方法としては、例えば、登録画面上に他端末精算予約ボタンを配置する態様においては当該他端末精算予約ボタンを消去または無効化（操作後にエラー報知等）してもよいし、キー操作部２１１に他端末精算予約ボタンを配置する態様においては当該他端末精算予約ボタンを無効化（操作後にエラー報知等）してもよい。続いて図２８（Ａ）のステップＳ５００に進む。
【０１７５】
（図２６のフローチャートの説明）
ステップＳ２００：ＰＯＳ端末２０−１は、商品がスキャン等されたか否かを判断する。つまり、ＰＯＳ端末２０−１は、２品目以降の商品登録があったか否かを判断する。商品がスキャン等された場合にはステップＳ２１０に進む。商品がスキャン等されていない場合にはステップＳ２１２に進む。
ステップＳ２１０：ＰＯＳ端末２０−１は、スキャン等された商品を登録する。続いてステップＳ２１２に進む。
【０１７６】
ステップＳ２１２：ＰＯＳ端末２０−１は、小計ボタンＢＴ１０が操作されたか否かを判断する。小計ボタンＢＴ１０が操作された場合には図２９（Ａ）のステップＳ７２７に進む。小計ボタンＢＴ１０が操作されていない場合にはステップＳ２１４に進む。
【０１７７】
ステップＳ２１４：ＰＯＳ端末２０−１は、送信ボタン（２０−２レジボタンＢＴ１２、２０−３レジボタンＢＴ１３）が操作されたか否かを判断する。送信ボタンが操作された場合には図３０のステップＳ８００に進む。送信ボタンが操作されていない場合にはステップＳ２１６に進む。
【０１７８】
ステップＳ２１６：ＰＯＳ端末２０−１は、お会計券ボタンＢＴ１５が操作されたか否かを判断する。お会計券ボタンＢＴ１５が操作された場合には図２９（Ｂ）のステップＳ９１０に進む。送信ボタンが操作されていない場合にはステップＳ２２８に進む。
【０１７９】
ステップＳ２２８：ＰＯＳ端末２０−１は、釣銭機２０９に現金が投入されたか否かを判断する。現金が投入された場合にはステップＳ２５０に進む。現金が投入されていない場合にはステップＳ２３０に進む。
ステップＳ２３０：ＰＯＳ端末２０−１は、決済種別が入力されたか否かを判断する。決済種別が入力された場合にはステップＳ２６０に進む。決済種別が入力されていない場合にはステップＳ２４０に進む。
【０１８０】
ステップＳ２４０：ＰＯＳ端末２０−１は、他端末精算予約ボタンが操作されたか否かを判断する。他端末精算予約ボタンが操作された場合にはステップＳ２７０に進む。他端末精算予約ボタンが操作されていない場合にはステップＳ２００に戻る。
【０１８１】
ステップＳ２５０：ＰＯＳ端末２０−１は、図２５のステップＳ１５０と同様、投入された現金を預り金として計上する。続いてステップＳ２６０に進む。
【０１８２】
ステップＳ２６０：ＰＯＳ端末２０−１は、送信等（登録情報の送信、お会計券の発行）を禁止設定する。具体的には、ＰＯＳ端末２０−１は、送信ボタン（２０−２レジボタンＢＴ１２、２０−３レジボタンＢＴ１３）及びお会計券ボタンＢＴ１５を非表示化（消去）する。続いて図２７（Ｂ）のステップＳ４００に進む。
【０１８３】
ステップＳ２７０：ＰＯＳ端末２０−１は、当該端末（ＰＯＳ端末２０−１）における精算処理を禁止設定する。具体的には、ＰＯＳ端末２０−１は、本ステップ（ステップＳ２７０）以降、現金の投入及び決済種別の入力を受け付けないように制御し、また、小計ボタンＢＴ１０を非表示化（消去）する。続いて図２８（Ｂ）のステップＳ６００に進む。
【０１８４】
（図２７（Ａ）のフローチャートの説明）
ステップＳ３００：ＰＯＳ端末２０−１は、商品がスキャン等されたか否かを判断する。つまり、ＰＯＳ端末２０−１は、１品目の商品登録があったか否かを判断する。商品がスキャン等された場合にはステップＳ３１０に進む。商品がスキャン等されていない場合にはステップＳ３２７に進む。
【０１８５】
ステップＳ３１０：ＰＯＳ端末２０−１は、スキャン等された商品を登録する。続いてステップＳ３２０に進む。
ステップＳ３２０：ＰＯＳ端末２０−１は、小計ボタンＢＴ１０を表示する。つまり、ＰＯＳ端末２０−１は、図２５のステップＳ１６０において送信等（登録情報の送信、お会計券の発行）を禁止設定しているため、小計ボタンＢＴ１０、送信ボタン（２０−２レジボタンＢＴ１２、２０−３レジボタンＢＴ１３）、お会計券ボタンＢＴ１５のうち、送信ボタン及びお会計券ボタンＢＴ１５を表示せずに、小計ボタンＢＴ１０のみを表示する。続いて図２７（Ｂ）のステップＳ４００に進む。
【０１８６】
ステップＳ３２７：ＰＯＳ端末２０−１は、現金による支払いであるか否かを判断する。つまり、ＰＯＳ端末２０−１は、現金の投入、または、決済種別として現金の選択がなされているか判断する。現金による支払いである場合にはステップＳ３２８に進む。現金による支払いでない場合（すなわちクレジットまたは電子マネーの支払の場合）にはステップＳ３００に戻る。
【０１８７】
ステップＳ３２８：ＰＯＳ端末２０−１は、釣銭機２０９に現金が投入されたか否かを判断する。現金が投入された場合にはステップＳ３５０に進む。現金が投入されていない場合にはステップＳ３００に戻る。
【０１８８】
ステップＳ３５０：ＰＯＳ端末２０−１は、図２５のステップＳ１５０と同様、投入された現金を預り金として計上する。続いてステップＳ３００に戻る。
【０１８９】
（図２７（Ｂ）のフローチャートの説明）
ステップＳ４００：ＰＯＳ端末２０−１は、商品がスキャン等されたか否かを判断する。商品がスキャン等された場合にはステップＳ４１０に進む。商品がスキャン等されていない場合にはステップＳ４１２に進む。
ステップＳ４１０：ＰＯＳ端末２０−１は、スキャン等された商品を登録する。続いてステップＳ４１２に進む。
【０１９０】
ステップＳ４１２：ＰＯＳ端末２０−１は、小計ボタンＢＴ１０が操作されたか否かを判断する。小計ボタンＢＴ１０が操作された場合には図２９（Ａ）のステップＳ７２７に進む。小計ボタンＢＴ１０が操作されていない場合にはステップＳ４２７に進む。
【０１９１】
ステップＳ４２７：ＰＯＳ端末２０−１は、図２７（Ａ）のステップＳ３２７と同様、現金による支払いであるか否かを判断する。現金による支払いである場合にはステップＳ４２８に進む。現金による支払いでない場合にはステップＳ４００に戻る。
【０１９２】
ステップＳ４２８：ＰＯＳ端末２０−１は、釣銭機２０９に現金が投入されたか否かを判断する。現金が投入された場合にはステップＳ４５０に進む。現金が投入されていない場合にはステップＳ４００に戻る。
【０１９３】
ステップＳ４５０：ＰＯＳ端末２０−１は、図２５のステップＳ１５０と同様、投入された現金を預り金として計上する。続いてステップＳ４００に戻る。
【０１９４】
（図２８（Ａ）のフローチャートの説明）
ステップＳ５００：ＰＯＳ端末２０−１は、商品がスキャン等されたか否かを判断する。商品がスキャン等された場合にはステップＳ５１０に進む。商品がスキャン等されていない場合にはステップＳ５００戻る。
【０１９５】
ステップＳ５１０：ＰＯＳ端末２０−１は、スキャン等された商品を登録する。続いてステップＳ５２０に進む。
ステップＳ３２０：ＰＯＳ端末２０−１は、送信ボタン（２０−２レジボタンＢＴ１２、２０−３レジボタンＢＴ１３）、お会計券ボタンＢＴ１５を表示する。つまり、ＰＯＳ端末２０−１は、図２５のステップＳ１７０において当該端末（ＰＯＳ端末２０−１）における精算処理を禁止設定しているため、小計ボタンＢＴ１０、送信ボタン（２０−２レジボタンＢＴ１２、２０−３レジボタンＢＴ１３）、お会計券ボタンＢＴ１５のうち、小計ボタンＢＴ１０を表示せずに、送信ボタン及びお会計券ボタンＢＴ１５を表示する。続いて図２８（Ｂ）のステップＳ６００に進む。
【０１９６】
（図２８（Ｂ）のフローチャートの説明）
ステップＳ６００：ＰＯＳ端末２０−１は、商品がスキャン等されたか否かを判断する。商品がスキャン等された場合にはステップＳ６１０に進む。商品がスキャン等されていない場合にはステップＳ６１４に進む。
ステップＳ６１０：ＰＯＳ端末２０−１は、スキャン等された商品を登録する。続いてステップＳ６１４に進む。
【０１９７】
ステップＳ６１４：ＰＯＳ端末２０−１は、送信ボタン（２０−２レジボタンＢＴ１２、２０−３レジボタンＢＴ１３）が操作されたか否かを判断する。送信ボタンが操作された場合には図３０のステップＳ８００に進む。送信ボタンが操作されていない場合にはステップＳ６１６に進む。
【０１９８】
ステップＳ６１６：ＰＯＳ端末２０−１は、お会計券ボタンＢＴ１５が操作されたか否かを判断する。お会計券ボタンＢＴ１５が操作された場合には図２９（Ｂ）のステップＳ９１０に進む。送信ボタンが操作されていない場合にはステップＳ６００に戻る。
【０１９９】
（図２９（Ａ）のフローチャートの説明）
ステップＳ７２７：ＰＯＳ端末２０−１は、図２７（Ａ）のステップＳ３２７と同様、現金による支払いであるか否かを判断する。現金による支払いである場合にはステップＳ７２８に進む。現金による支払いでない場合にはステップＳ７８３０に進む。
【０２００】
ステップＳ７２８：ＰＯＳ端末２０−１は、釣銭機２０９に現金が投入されたか否かを判断する。現金が投入された場合にはステップＳ７５０に進む。現金が投入されていない場合にはステップＳ７８０に進む。
【０２０１】
ステップＳ７５０：ＰＯＳ端末２０−１は、図２５のステップＳ１５０と同様、投入された現金を預り金として計上する。続いてステップＳ７８０に進む。
【０２０２】
ステップＳ７８０：ＰＯＳ端末２０−１は、合計預り金額（合計投入金額）が合計買上金額以上であるか否かを判断する。合計預り金額が合計買上金額以上である場合にはステップＳ７８１に進む。なお、ＰＯＳ端末２０−１は、合計預り金額が合計買上金額以上である場合には、おわり（レシート）ボタンＢＴ４０を表示する。合計預り金額が合計買上金額以上でない場合にはステップＳ７２８に戻る。
【０２０３】
ステップＳ７８１：ＰＯＳ端末２０−１は、おわり（レシート）ボタンＢＴ４０が操作されたか否かを判断する。おわり（レシート）ボタンＢＴ４０が操作された場合にはステップＳ７８２に進む。おわり（レシート）ボタンＢＴ４０が操作されていない場合にはステップＳ７２８に戻る。
【０２０４】
ステップＳ７８１：ＰＯＳ端末２０−１は、現金による精算（釣銭機２０９による精算）を実行する。例えば、ＰＯＳ端末２０−１は、釣り銭がある場合には釣り銭を放出する。続いてステップＳ７８４に進む。
【０２０５】
ステップＳ７８２：ＰＯＳ端末２０−１は、クレジットまたは電子マネーによる精算（例えばカード決済部２０８による精算）を実行する。続いてステップＳ７８４に進む。
【０２０６】
ステップＳ７８３：ＰＯＳ端末２０−１は、レシートを発行する。
【０２０７】
（図２９（Ｂ）のフローチャートの説明）
ステップＳ９１０：お会計券を発行する。
【０２０８】
（図３０のフローチャートの説明）
ステップＳ８００：ＰＯＳ端末２０−１は、登録情報の送信先（指定端末）は、フルセルフモードのＰＯＳ端末２０であるか否かを判断する。登録情報の送信先はフルセルフモードのＰＯＳ端末２０である場合にはステップＳ８０１に進む。登録情報の送信先はフルセルフモードのＰＯＳ端末２０でない場合にはステップＳ８０２に進む。具体的には、図２５〜図３２の説明においてＰＯＳ端末２０−１、及びＰＯＳ端末２０−２は通常モード、ＰＯＳ端末２０−３はフルセルフモードであるため、登録情報の送信先がフルセルフモードのＰＯＳ端末２０−３である場合にはステップＳ８０１に進む。また、登録情報の送信先が通常モードのＰＯＳ端末２０−２である場合にはステップＳ８０２に進む。
【０２０９】
ステップＳ８０１：ＰＯＳ端末２０−１は、当該送信先（指定端末。具体的には、フルセルフモードであるＰＯＳ端末２０−３）において登録処理を行わずに精算処理だけを行うか登録処理も行うかを店員に選択させる選択画面を表示する。具体的には、例えば、ＰＯＳ端末２０−１は、「精算処理だけ行うボタンＢＴ２０」と「登録処理も行うボタンＢＴ２１」とを配置した小画面ＳＧ０３（図１７（Ｂ）参照）を表示してもよい。続いてステップＳ８１０に進む。
【０２１０】
ステップＳ８０２：ＰＯＳ端末２０−１は、当該送信先（指定端末。具体的には、通常モードであるＰＯＳ端末２０−２）において登録情報を送信するか否かや、当該送信先（指定端末）において登録処理を行わずに精算処理だけを行うか登録処理も行うかを店員に選択させる選択画面を表示する。具体的には、例えば、ＰＯＳ端末２０−１は、「しないボタンＢＴ２２」と「する（精算だけ）ボタンＢＴ２４」と「する（登録も）ボタンＢＴ２５」とを配置した小画面ＳＧ０５（図１８（Ｂ）参照）を表示してもよい。続いてステップＳ８３０に進む。
【０２１１】
ステップＳ８１０：ＰＯＳ端末２０−１は、選択画面において登録処理を行わずに精算処理だけを行う旨が選択されたか否かを判断する。例えば、ＰＯＳ端末２０−１は、図１７（Ｂ）の小画面ＳＧ０３において、「精算処理だけ行うボタンＢＴ２０」が操作されたか否かを判断する。登録処理を行わずに精算処理だけを行う旨が選択された場合にはステップＳ８１５に進む。登録処理を行わずに精算処理だけを行う旨が選択されなかった場合にはステップＳ８２０に進む。
【０２１２】
ステップＳ８１５：ＰＯＳ端末２０−１は、精算処理から開始される旨の情報（フラグ）を付加した登録情報を指定端末（フルセルフモードであるＰＯＳ端末２０−３）に送信する。あるいは、ＰＯＳ端末２０−１は、精算処理から開始される旨の情報（フラグ）とともに登録情報を指定端末（フルセルフモードであるＰＯＳ端末２０−３）に送信してもよい。
【０２１３】
ステップＳ８２０：ＰＯＳ端末２０−１は、選択画面において登録処理も行う旨が選択されたか否かを判断する。例えば、ＰＯＳ端末２０−１は、図１７（Ｂ）の小画面ＳＧ０３において、「登録処理も行うボタンＢＴ２１」が操作されたか否かを判断する。登録処理も行う旨が選択された場合にはステップＳ８２５に進む。登録処理も行う旨が選択されなかった場合にはステップＳ８１０に戻る。
【０２１４】
ステップＳ８２５：ＰＯＳ端末２０−１は、登録処理から開始される旨の情報（フラグ）を付加した登録情報を指定端末（具体的には、フルセルフモードであるＰＯＳ端末２０−３）に送信する。あるいは、ＰＯＳ端末２０−１は、登録処理から開始される旨の情報（フラグ）とともに登録情報を指定端末（フルセルフモードであるＰＯＳ端末２０−３）に送信してもよい。
【０２１５】
ステップＳ８３０：ＰＯＳ端末２０−１は、選択画面において登録情報を送信しない旨が選択されたか否かを判断する。例えば、ＰＯＳ端末２０−１は、図１８（Ｂ）の小画面ＳＧ０５において、「しないボタンＢＴ２２」が操作されたか否かを判断する。登録情報を送信しない旨が選択された場合にはステップＳ８００に戻る。登録情報を送信しない旨が選択されなかった場合にはステップＳ８４０に進む。
【０２１６】
ステップＳ８４０：ＰＯＳ端末２０−１は、選択画面において登録処理を行わずに精算処理だけを行う旨が選択されたか否かを判断する。例えば、ＰＯＳ端末２０−１は、図１８（Ｂ）の小画面ＳＧ０５において、「する（精算だけ）ボタンＢＴ２４」が操作されたか否かを判断する。登録処理を行わずに精算処理だけを行う旨が選択された場合にはステップＳ８４５に進む。登録処理を行わずに精算処理だけを行う旨が選択されなかった場合にはステップＳ８５０に進む。
【０２１７】
ステップＳ８４５：ＰＯＳ端末２０−１は、精算処理から開始される旨の情報（フラグ）を付加した登録情報を指定端末（通常モードであるＰＯＳ端末２０−２）に送信する。あるいは、ＰＯＳ端末２０−１は、精算処理から開始される旨の情報（フラグ）とともに登録情報を指定端末（通常モードであるＰＯＳ端末２０−２）に送信してもよい。
【０２１８】
ステップＳ８５０：ＰＯＳ端末２０−１は、選択画面において登録処理も行う旨が選択されたか否かを判断する。例えば、ＰＯＳ端末２０−１は、図１８（Ｂ）の小画面ＳＧ０５において、「する（登録も）ボタンＢＴ２５」が操作されたか否かを判断する。登録処理も行う旨が選択された場合にはステップＳ８５５に進む。登録処理も行う旨が選択されなかった場合にはステップＳ８３０に戻る。
【０２１９】
ステップＳ８５５：ＰＯＳ端末２０−１は、登録処理から開始される旨の情報（フラグ）を付加した登録情報を指定端末（具体的には、通常モードであるＰＯＳ端末２０−２）に送信する。あるいは、ＰＯＳ端末２０−１は、登録処理から開始される旨の情報（フラグ）とともに登録情報を指定端末（通常モードであるＰＯＳ端末２０−２）に送信してもよい。
【０２２０】
（図３１のフローチャートの説明）
上述したように、図３１のフローチャートは、図３０の破線の矩形Ｐに示した処理の変形例（変形例１）を示している。ＰＯＳ端末２０−１は、図３０のステップＳ８００（ＮＯ）に続いて、図３１のステップＳ１８０２以下を実行してもよい。
【０２２１】
ステップＳ１８０２：ＰＯＳ端末２０−１は、図３０のステップＳ８０２と同様に、当該送信先（指定端末。具体的には、通常モードであるＰＯＳ端末２０−２）において登録情報を送信するか否かや、当該送信先（指定端末）において登録処理を行わずに精算処理だけを行うか登録処理も行うかを店員に選択させる選択画面を表示する。続いてステップＳ１８３０に進む。
【０２２２】
ステップＳ１８３０：ＰＯＳ端末２０−１は、図３０のステップＳ８３０と同様に、選択画面において登録情報を送信しない旨が選択されたか否かを判断する。登録情報を送信しない旨が選択された場合には図３０のステップＳ８００に戻る。登録情報を送信しない旨が選択されなかった場合にはステップＳ１８４０に進む。
【０２２３】
ステップＳ１８４０：ＰＯＳ端末２０−１は、図３０のステップＳ８４０と同様に、選択画面において登録処理を行わずに精算処理だけを行う旨が選択されたか否かを判断する。登録処理を行わずに精算処理だけを行う旨が選択された場合にはステップＳ１８４１に進む。登録処理を行わずに精算処理だけを行う旨が選択されなかった場合にはステップＳ１８５０に進む。
【０２２４】
ステップＳ１８４１：ＰＯＳ端末２０−１は、登録情報に基づく精算処理の可否の問い合せ情報を指定端末（通常モードであるＰＯＳ端末２０−２）に送信する。続いてステップＳ１８４２に進む。
【０２２５】
なお、指定端末（ＰＯＳ端末２０−２）は、登録情報に基づく精算処理の可否の問い合せ情報を受信した場合、登録情報に基づいて精算処理をするか否かを店員（指定端末の店員）に選択させる選択画面を表示する。具体的には、例えば、ＰＯＳ端末２０−２は、「しないボタンＢＴ２６」と「するボタンＢＴ２７」とを配置した小画面ＳＧ０６（図２０（Ａ）参照）を表示してもよい。
【０２２６】
ステップＳ１８４２：ＰＯＳ端末２０−１は、指定端末から登録情報に基づいて精算処理をしない旨（拒否する旨）の応答（ＮＧ応答。「しないボタンＢＴ２６」による応答）があったか否かを判断する。ＮＧ応答があった場合には図３０のステップＳ８００に戻る。ＮＧ応答がなかった場合にはステップＳ１８４３に進む。
【０２２７】
ステップＳ１８４３：ＰＯＳ端末２０−１は、指定端末から登録情報に基づいて精算処理をする旨（許可する旨）の応答（ＯＫ応答。「するボタンＢＴ２７）による応答）があったか否かを判断する。ＯＫ応答があった場合にはステップＳ１８４５に進む。ＯＫ応答がなかった場合にはステップＳ１８４２に戻る。
【０２２８】
ステップＳ１８４５：ＰＯＳ端末２０−１は、図３０のステップＳ８４５と同様に、精算処理から開始される旨の情報を付加した登録情報を指定端末に送信する。あるいは、ＰＯＳ端末２０−１は、精算処理から開始される旨の情報とともに登録情報を指定端末に送信してもよい。
【０２２９】
ステップＳ１８５０：ＰＯＳ端末２０−１は、図３０のステップＳ８５０と同様に、選択画面において登録処理も行う旨が選択されたか否かを判断する。登録処理も行う旨が選択された場合にはステップＳ１８５１に進む。登録処理も行う旨が選択されなかった場合にはステップＳ１８３０に戻る。
【０２３０】
ステップＳ１８５１：ＰＯＳ端末２０−１は、登録情報に基づく登録処理の可否の問い合せ情報を指定端末（通常モードであるＰＯＳ端末２０−２）に送信する。続いてステップＳ１８５２に進む。
【０２３１】
なお、指定端末（ＰＯＳ端末２０−２）は、登録情報に基づく登録処理の可否の問い合せ情報を受信した場合、登録情報に基づいて登録処理をするか否かを店員（指定端末の店員）に選択させる選択画面を表示する。具体的には、例えば、ＰＯＳ端末２０−２は、「しないボタンＢＴ２６」と「するボタンＢＴ２７」とを配置した小画面ＳＧ０７（図２１（Ａ）参照）を表示してもよい。
【０２３２】
ステップＳ１８５２：ＰＯＳ端末２０−１は、指定端末から登録情報に基づいて登録処理をしない旨（拒否する旨）の応答（ＮＧ応答。「しないボタンＢＴ２６」による応答）があったか否かを判断する。ＮＧ応答があった場合には図３０のステップＳ８００に戻る。ＮＧ応答がなかった場合にはステップＳ１８５３に進む。
【０２３３】
ステップＳ１８５３：ＰＯＳ端末２０−１は、指定端末から登録情報に基づいて登録処理をする旨（許可する旨）の応答（ＯＫ応答。「するボタンＢＴ２７」による応答）があったか否かを判断する。ＯＫ応答があった場合にはステップＳ１８５５に進む。ＯＫ応答がなかった場合にはステップＳ１８５２に進む。
【０２３４】
ステップＳ１８５５：ＰＯＳ端末２０−１は、図３０のステップＳ８５５と同様に、登録処理から開始される旨の情報を付加した登録情報を指定端末に送信する。あるいは、ＰＯＳ端末２０−１は、登録処理から開始される旨の情報とともに登録情報を指定端末に送信してもよい。
【０２３５】
（図３２（Ａ）のフローチャートの説明）
上述したように、図３２（Ａ）のフローチャートは、図３０の破線の矩形Ｐに示した処理の変形例（変形例２）を示している。ＰＯＳ端末２０−１は、図３０のステップＳ８００（ＮＯ）に続いて、図３２（Ａ）のステップＳ２８０２以下を実行してもよい。
【０２３６】
ステップＳ２８０２：ＰＯＳ端末２０−１は、当該送信先（指定端末。具体的には、通常モードであるＰＯＳ端末２０−２）において登録情報を送信するか否かを店員に選択させる選択画面を表示する。具体的には、例えば、ＰＯＳ端末２０−１は、「しないボタンＢＴ２２」と「するボタンＢＴ２３」とを配置した小画面ＳＧ０４（図１８（Ａ）参照）を表示してもよい。続いてステップＳ２８３０に進む。
【０２３７】
ステップＳ２８３０：ＰＯＳ端末２０−１は、選択画面において登録情報を送信しない旨が選択されたか否かを判断する。例えば、ＰＯＳ端末２０−１は、図１８（Ａ）の小画面ＳＧ０４において、「しないボタンＢＴ２２」が操作されたか否かを判断する。登録情報を送信しない旨が選択された場合には図３０のステップＳ８００に戻る。登録情報を送信しない旨が選択されなかった場合にはステップＳ２８６０に進む。
【０２３８】
ステップＳ２８６０：ＰＯＳ端末２０−１は、選択画面において登録情報を送信する旨が選択されたか否かを判断する。例えば、ＰＯＳ端末２０−１は、図１８（Ａ）の小画面ＳＧ０４において、「するボタンＢＴ２３」が操作されたか否かを判断する。登録情報を送信する旨が選択された場合にはステップＳ２８６５に進む。登録情報を送信しない旨が選択されなかった場合にはステップＳ２８３０に戻る。
【０２３９】
ステップＳ２８６５：ＰＯＳ端末２０−１は、登録情報（フラグを付加等していない登録情報）を指定端末（通常モードであるＰＯＳ端末２０−２））に送信する。
【０２４０】
（図３２（Ｂ）のフローチャートの説明）
上述したように、図３２（Ｂ）のフローチャートは、図３２（Ａ）の処理に対応する、指定端末（通常モードであるＰＯＳ端末２０−２）側の動作を示している。
【０２４１】
ステップＳ２８９０：ＰＯＳ端末２０−２は、図３２（Ｂ）のステップＳ２８６５において送信された登録情報を受信する。続いてステップＳ２８９１に進む。
【０２４２】
ステップＳ２８９１：ＰＯＳ端末２０−２は、登録情報に基づいて登録処理を行わずに精算処理だけを行うか、登録情報に基づいて登録処理も行うかを店員に選択させる選択画面を表示する。具体的には、例えば、ＰＯＳ端末２０−２は、「精算処理だけ行うボタンＢＴ２８」と「登録処理も行うボタンＢＴ２９」とを配置した小画面ＳＧ０８（図２２（Ａ）参照）を表示してもよい。続いてステップＳ２８９２に進む。
【０２４３】
ステップＳ２８９２：ＰＯＳ端末２０−２は、選択画面において登録処理を行わずに精算処理だけを行う旨が選択されたか否かを判断する。例えば、ＰＯＳ端末２０−２は、図２２（Ａ）の小画面ＳＧ０８において、「精算処理だけ行うボタンＢＴ２８」が操作されたか否かを判断する。登録処理を行わずに精算処理だけを行う旨が選択された場合にはステップＳ２８９３に進む。登録処理を行わずに精算処理だけを行う旨が選択されなかった場合にはステップＳ２８９４に進む。
【０２４４】
ステップＳ２８９３：ＰＯＳ端末２０−２は、ステップＳ２８９０において受信した登録情報に基づいて精算処理を実行する（精算画面を表示する）。
【０２４５】
ステップＳ２８９４：ＰＯＳ端末２０−２は、選択画面において登録処理も行う旨が選択されたか否かを判断する。例えば、ＰＯＳ端末２０−２は、図２２（Ａ）の小画面ＳＧ０８において、「登録処理も行うボタンＢＴ２９」が操作されたか否かを判断する。登録処理も行う旨が選択された場合にはステップＳ２８９５に進む。登録処理も行う旨が選択されなかった場合にはステップＳ２８９２に戻る。
【０２４６】
ステップＳ２８９５：ＰＯＳ端末２０−２は、ステップＳ２８９０において受信した登録情報に基づいて登録処理を実行する（登録画面を表示する）。
【０２４７】
以上、図２５〜図３２のフローチャートを用いてＰＯＳ端末２０の動作例を説明したが、上記フローチャートを用いて図９〜図２４に示した店員側表示部２１０における表示例（一部）について補足説明する。
【０２４８】
（図９（Ａ）の登録画面（初期状態の登録画面））
通常モードのＰＯＳ端末２０−１は、図２５のフローチャートの開始時には、図９（Ａ）の登録画面（初期状態の登録画面）を表示する。
【０２４９】
（図１０（Ａ）の登録画面）
図９（Ａ）の表示内容の状態に続いて、通常モードのＰＯＳ端末２０−１は、１品目の商品（缶ビール）がスキャンされ（図２５のステップＳ１００（ＹＥＳ））、該商品を登録すると（図２５のステップＳ１１０）、図１０（Ａ）に示したように、小計ボタンＢＴ１０、送信ボタン（２０−２レジボタンＢＴ１２、２０−３レジボタンＢＴ１３）及び「お会計券ボタンＢＴ１５」を表示する（図２５のステップＳ１２０）。
【０２５０】
（図１１（Ａ）の登録画面）
図１０（Ａ）の表示内容の状態に続いて、通常モードのＰＯＳ端末２０−１は、現金５００円が投入され（図２６のステップＳ２２８（ＹＥＳ））、預り金を計上すると（図２６のステップＳ２５０）、図１１（Ａ）に示したように、送信ボタン（２０−２レジボタンＢＴ１２、２０−３レジボタンＢＴ１３）及び「お会計券ボタンＢＴ１５」を非表示化（消去）する（図２６のステップＳ２６０）。
【０２５１】
（図１２（Ａ）の登録画面）
図１１（Ａ）の表示内容の状態に続いて、通常モードのＰＯＳ端末２０−１は、２品目の商品（アスパラ）及び３品目の商品（のり弁当）がスキャンされ（図２７（Ｂ）のステップＳ４００（ＹＥＳ））、夫々の商品を登録し（図２７（Ｂ）のステップＳ４１０）、また、現金５００円が追加投入され（図２７（Ｂ）のステップＳ４２８（ＹＥＳ））、預り金を計上すると（図２７（Ｂ）のステップＳ４５０）、登録画面の表示内容は、図１２（Ａ）に示したようになる。なお、現金５００円の追加投入のタイミングは、２品目の商品のスキャン前であってもよいし、２品目の商品のスキャン後であって３品目の商品のスキャン前であってもよいし、３品目の商品のスキャン後であってもよい。
【０２５２】
（図１３（Ａ）の登録画面（小画面ＳＧ０２））
図１２（Ａ）の表示内容の状態に続いて、通常モードのＰＯＳ端末２０−１は、小計ボタンＢＴ１０が操作されると（図２７（Ｂ）のステップＳ４１２（ＹＥＳ））、図１３（Ａ）に示したように、小画面ＳＧ０２を表示する。
【０２５３】
（図１５（Ａ）の登録画面）
図１０（Ａ）の表示内容の状態に続いて、通常モードのＰＯＳ端末２０−１は、２品目の商品（アスパラ）及び３品目の商品（のり弁当）がスキャンされ（図２６のステップＳ２００（ＹＥＳ））、夫々の商品を登録すると（図２６のステップＳ２１０）、登録画面の表示内容は、図１５（Ａ）に示したようになる。図１５（Ａ）の状態では、未だ現金の投入もなく支払方法も選択されていない。
【０２５４】
（図１７（Ａ）の登録画面（小画面ＳＧ０３）等）
図１５（Ａ）の表示内容の状態に続いて、通常モードのＰＯＳ端末２０−１は、２０−３レジボタンＢＴ１３が操作されると（図２６のステップＳ２１４（ＹＥＳ））、図１７（Ｂ）に示したように、小画面ＳＧ０３を表示する（図３０のステップＳ８０１）。
【０２５５】
ＰＯＳ端末２０−１は、小画面ＳＧ０３の「精算処理だけ行うボタンＢＴ２０」が操作され（図３０のステップＳ８１０（ＹＥＳ））、精算処理から開始される旨の情報（フラグ）を付加等した登録情報をフルセルフモードであるＰＯＳ端末２０−３に送信すると（図３０のステップＳ８１５）、図１６（Ａ）に示したように、メッセージ画面ＭＧ２を表示する。なお、上記登録情報を受信したフルセルフモードであるＰＯＳ端末２０−３は、図１７（Ａ）に示したように、精算画面（支払方法選択画面）を表示する。
【０２５６】
ＰＯＳ端末２０−１は、小画面ＳＧ０３の「登録処理も行うボタンＢＴ２１」が操作され（図３０のステップＳ８２０（ＹＥＳ））、登録処理から開始される旨の情報（フラグ）を付加等した登録情報をフルセルフモードであるＰＯＳ端末２０−３に送信すると（図３０のステップＳ８２５）、図１６（Ａ）に示したように、メッセージ画面ＭＧ２を表示する。なお、上記登録情報を受信したフルセルフモードであるＰＯＳ端末２０−３は、登録画面（通常モードのＰＯＳ端末２０−２における例として説明した図２１（Ｂ）の登録画面と同様の画面）を表示する。
【０２５７】
（図１８（Ｂ）の登録画面（小画面ＳＧ０５）等）
図１５（Ａ）の表示内容の状態に続いて、通常モードのＰＯＳ端末２０−１は、２０−２レジボタンＢＴ１２が操作されると（図２６のステップＳ２１４（ＹＥＳ））、図１８（Ｂ）に示したように、小画面ＳＧ０５を表示する（図３０のステップＳ８０２）。
【０２５８】
ＰＯＳ端末２０−１は、小画面ＳＧ０５の「する（精算だけ）ボタンＢＴ２４」が操作され（図３０のステップＳ８４０（ＹＥＳ））、精算処理から開始される旨の情報（フラグ）を付加等した登録情報を通常モードであるＰＯＳ端末２０−２に送信すると（図３０のステップＳ８４５）、図１６（Ａ）に示したようなメッセージ画面ＭＧ２（但し、送信先は「レジ２０−３」ではなく「レジ２０−２」）を表示する。なお、上記登録情報を受信した通常モードであるＰＯＳ端末２０−２は、図２０（Ａ）に示したように小画面ＳＧ０６を表示し（または、小画面ＳＧ０６を表示することなく）、図２０（Ｂ）に示したように精算画面（支払方法選択画面）を表示する。
【０２５９】
ＰＯＳ端末２０−１は、小画面ＳＧ０３の「する（登録も）ボタンＢＴ２５」が操作され（図３０のステップＳ８５０（ＹＥＳ））、登録処理から開始される旨の情報（フラグ）を付加等した登録情報を通常モードであるＰＯＳ端末２０−２に送信すると（図３０のステップＳ８５５）、図１６（Ａ）に示したようなメッセージ画面ＭＧ２（但し、送信先は「レジ２０−３」ではなく「レジ２０−２」）を表示する。なお、上記登録情報を受信した通常モードであるＰＯＳ端末２０−２は、図２１（Ａ）に示したように小画面ＳＧ０７を表示し（または、小画面ＳＧ０７を表示することなく）、図２１（Ｂ）に示したように登録画面を表示する。
【０２６０】
（図１８（Ａ）の登録画面（小画面ＳＧ０４）等）
図１５（Ａ）の表示内容の状態に続いて、通常モードのＰＯＳ端末２０−１は、２０−２レジボタンＢＴ１２が操作されると（図２６のステップＳ２１４（ＹＥＳ））、図１８（Ａ）に示したように、小画面ＳＧ０４を表示する（図３２（Ａ）のステップＳ２８０２）。
【０２６１】
ＰＯＳ端末２０−１は、小画面ＳＧ０４の「するボタンＢＴ２３」が操作され（図３２（Ａ）のステップＳ２８６０（ＹＥＳ））、登録情報（フラグを付加等していない登録情報）を通常モードであるＰＯＳ端末２０−２に送信すると（図３２（Ａ）のステップＳ２８６５）、図１６（Ａ）に示したようなメッセージ画面ＭＧ２（但し、送信先は「レジ２０−３」ではなく「レジ２０−２」）を表示する。
【０２６２】
通常モードであるＰＯＳ端末２０−２は、上記登録情報を受信し（図３２（Ｂ）のステップＳ２８９０）、図２２（Ａ）に示したように、小画面ＳＧ０８を表示する（図３２（Ｂ）のステップＳ２８９１）。
【０２６３】
ＰＯＳ端末２０−２は、小画面ＳＧ０８の「精算処理だけ行うボタンＢＴ２８」が操作されると（図３２（Ａ）のステップＳ２８９２（ＹＥＳ））、図２０（Ｂ）に示したように精算画面（支払方法選択画面）を表示する（図３２（Ａ）のステップＳ２８９３）。
【０２６４】
ＰＯＳ端末２０−２は、小画面ＳＧ０８の「登録処理も行うボタンＢＴ２９」が操作されると（図３２（Ａ）のステップＳ２８９４（ＹＥＳ））、図２１（Ｂ）に示したように登録画面を表示する（図３２（Ａ）のステップＳ２８９５）。
【０２６５】
（図２４（Ｂ）の登録画面）
図１０（Ａ）の表示内容の状態に続いて、通常モードのＰＯＳ端末２０−１は、他端末精算予約ボタン（非図示）が操作されると（図２６のステップＳ２４０（ＹＥＳ））、図２４（Ｂ）に示したように、小計ボタンＢＴ１０を非表示化（消去）する（図２６のステップＳ２７０）。
【０２６６】
なお、図２５〜図３２のフローチャートでは、ＰＯＳ端末２０が他端末精算予約ボタン（非図示）を備える場合について説明したが、ＰＯＳ端末２０は、他端末精算予約ボタンに代えて又は加えて、送信予約ボタン（非図示）を備えていてもよい。また、他端末精算予約ボタン（または送信予約ボタン）に代えて又は加えてお会計券発行予約ボタン（非図示）を備えていてもよい。
【０２６７】
送信予約ボタンが操作された場合には、ＰＯＳ端末２０−１は、当該端末における精算処理及びお会計券発行を禁止設定する。例えば、図２５のフローチャートにおいて、送信予約ボタンが操作された場合には、ＰＯＳ端末２０−１は、現金の投入及び決済種別の入力を受け付けないように制御し、また、小計ボタンＢＴ１０及びお会計券ボタンＢＴ１５を表示しないように制御する。また例えば、図２６のフローチャートにおいて、送信予約ボタンが操作された場合には、ＰＯＳ端末２０−１は、現金の投入及び決済種別の入力を受け付けないように制御し、また、図２３（Ａ）に示したように、小計ボタンＢＴ１０及びお会計券ボタンＢＴ１５を非表示化（消去）する。
【０２６８】
お会計券発行予約ボタンが操作された場合には、ＰＯＳ端末２０−１は、当該端末における精算処理及び他端末への送信を禁止設定する。例えば、図２５のフローチャートにおいて、お会計券発行予約ボタンが操作された場合には、ＰＯＳ端末２０−１は、現金の投入及び決済種別の入力を受け付けないように制御し、また、小計ボタンＢＴ１０及び送信ボタン（２０−２レジボタンＢＴ１２、２０−３レジボタンＢＴ１３）を表示しないように制御する。また例えば、図２６のフローチャートにおいて、お会計券発行予約ボタンが操作された場合には、ＰＯＳ端末２０−１は、現金の投入及び決済種別の入力を受け付けないように制御し、また、図２４（Ａ）に示したように、小計ボタンＢＴ１０、２０−２レジボタンＢＴ１２及び２０−３レジボタンＢＴ１３」を非表示化（消去）する。
【０２６９】
（通常モードのＰＯＳ端末２０−２に対する登録情報の送信禁止、解除）
以上、本実施形態のＰＯＳシステム１について説明したが、本実施形態のＰＯＳシステム１によれば、例えば、通常モードのＰＯＳ端末２０−１は、他の通常モードのＰＯＳ端末２０−２を宛先として登録情報を送信する際に、登録情報を送信するか否かを送信側の店員に確認している（図１８（Ａ）、図１８（Ｂ）、図３０のステップＳ８０２、図３１のステップＳ１８０２、図３２（Ａ）のステップＳ２８０２等参照）。
【０２７０】
つまり、ＰＯＳ端末２０−１は、他の通常モードのＰＯＳ端末２０−２を宛先とした登録情報の送信を禁止（一旦禁止、一時的に禁止）している。また、ＰＯＳ端末２０−１は、他の通常モードのＰＯＳ端末２０−２を宛先とした登録情報の送信を禁止した旨を報知している。
【０２７１】
また、通常モードのＰＯＳ端末２０−１は、他の通常モードのＰＯＳ端末２０−２を宛先として登録情報を送信する際に、上記の確認において送信側の店員によって送信する旨の操作がなされた場合には、当該ＰＯＳ端末２０−２を宛先として登録情報を送信している（図３０のステップＳ８４５、Ｓ８５５、図３２（Ａ）のステップＳ２８６５等参照）。
【０２７２】
つまり、ＰＯＳ端末２０−１は、ＰＯＳ端末２０−２を宛先とした登録情報の送信禁止しを解除している。より詳細には、他の通常モードのＰＯＳ端末２０−２を宛先とした登録情報の送信を禁止した旨を報知した後に、送信側の店員によって送信する旨の操作がなされたことに基づいて、上記送信禁止しを解除している。
【０２７３】
また、通常モードのＰＯＳ端末２０−１は、他の通常モードのＰＯＳ端末２０−２を宛先として登録情報を送信する際に、登録情報の宛先であるＰＯＳ端末２０−２において当該登録情報に基づいて登録処理も行わせるか、当該登録情報に基づいて精算処理だけを行わせるかを送信側の店員（ＰＯＳ端末２０−１にログインしている店員）が選択可能である（図１８（Ｂ）、図３０のステップＳ８４５、Ｓ８５５、図３１のステップＳ１８４５、Ｓ１８５５等参照）。また、登録情報の宛先であるＰＯＳ端末２０−２では、送信側の店員による選択可能（つまり、受信側の店員（ＰＯＳ端末２０−１にログインしている店員）に対する指示内容）を表示している（図２０（Ａ）、図２１（Ａ）参照）。
【０２７４】
つまり、ＰＯＳ端末２０−１は、他の通常モードのＰＯＳ端末２０−２を宛先として登録情報を送信する際に、当該登録情報とともに他の店員（ＰＯＳ端末２０−２にログインしている店員）への指示情報（当該登録情報をどのように処理（精算だけ、登録も）するかの指示情報。本実施形態では特別の情報（フラグ））を送信している。
【０２７５】
（自端末での精算、他端末での精算のうちの一方の実行を禁止）
また、本実施形態のＰＯＳシステム１によれば、通常モードのＰＯＳ端末２０−１は、釣銭機２０９への現金の投入があった場合には、他端末（ＰＯＳ端末２０−２、ＰＯＳ端末２０−３）において精算する場合に使用するボタン（２０−２レジボタンＢＴ１２、２０−３レジボタンＢＴ１３、お会計券ボタンＢＴ１５）を非表示としている（図１１（Ａ）、図２５のステップＳ１６０、図２６のステップＳ２６０等参照）。決済種別が選択された場合についても同様である（図２５のステップＳ１６０、図２６のステップＳ２６０等参照）。
【０２７６】
つまり、ＰＯＳ端末２０−１は、自端末（ＰＯＳ端末２０−１）において精算することになる場合には、実際に精算する前（例えば登録処理が行われている間などにおいて）、他端末（ＰＯＳ端末２０−２、ＰＯＳ端末２０−３）への登録情報の送信を禁止し、また、お会計券の発行を禁止している。
【０２７７】
一方、通常モードのＰＯＳ端末２０−１は、送信予約ボタンによる宣言があった場合には、自端末（ＰＯＳ端末２０−１）において精算する場合に使用する小計ボタンＢＴ１０と、お会計券を発行する場合に使用するお会計券ボタンＢＴ１５を非表示としている（図２３（Ａ）参照）。また、通常モードのＰＯＳ端末２０−１は、お会計券発行予約ボタンによる宣言があった場合には、自端末（ＰＯＳ端末２０−１）において精算する場合に使用する小計ボタンＢＴ１０と、他端末に登録情報を送信する場合に使用する送信ボタン（２０−２レジボタンＢＴ１２、２０−３レジボタンＢＴ１３）とを非表示としている（図２４（Ａ）参照）。また、通常モードのＰＯＳ端末２０−１は、他端末精算予約ボタンによる宣言があった場合には、自端末（ＰＯＳ端末２０−１）において精算する場合に使用する小計ボタンＢＴ１０を非表示としている（図２４（Ｂ）参照、図２５のステップＳ１７０、図２６のステップＳ２７０等参照）。
【０２７８】
つまり、ＰＯＳ端末２０−１は、他端末（ＰＯＳ端末２０−２、ＰＯＳ端末２０−３）において精算することになる場合には、実際に精算する前（例えば登録処理が行われている間などにおいて）、自端末（ＰＯＳ端末２０−１）における精算を禁止している。
【０２７９】
以上、本実施形態のＰＯＳシステム１について説明したが、データの構成、処理の流れ、表示及び出力の態様などは、適宜、変更及び修正が可能である。
【０２８０】
例えば、上記実施形態では、通常モードのＰＯＳ端末２０−１は、通常モードのＰＯＳ端末２０−２を宛先として登録情報を送信する際に、ＰＯＳ端末２０−２に登録情報を送信するか否かを送信側の店員に確認させているが、ＰＯＳ端末２０−１は、ＰＯＳ端末２０−２とは異なる端末（具体的にはフルセルフモードのＰＯＳ端末２０−３）に登録情報を送信するか否かを送信側の店員に確認させるようにしえもよい。
【０２８１】
例えば、図１８（Ａ）の小画面ＳＧ０４に「しないボタンＢＴ２２」及び「するボタンＢＴ２３」に加えて「他装置（ＰＯＳ端末２０−３）に送信するボタン」を配置し、「他装置（ＰＯＳ端末２０−３）に送信するボタン」が操作された場合には、小画面ＳＧ０４を消去するとともに、通常モードのＰＯＳ端末２０−２ではなくフルセルフモードのＰＯＳ端末２０−３に対し、精算処理から開始されるように登録情報を送信してもよい。
【０２８２】
あるいは、図１８（Ａ）の小画面ＳＧ０４の「するボタンＢＴ２３」に代えて「他装置（ＰＯＳ端末２０−３）に送信するボタン」を配置してもよい。つまり、小画面ＳＧ０４には「するボタンＢＴ２３」を配置せずに、「しないボタンＢＴ２２」及び「他装置（ＰＯＳ端末２０−３）に送信するボタン」を配置してもよい。つまり、ＰＯＳ端末２０−１は、通常モードのＰＯＳ端末２０−２を宛先とした登録情報の送信を禁止してもよい。
【０２８３】
また、図１８（Ｂ）の小画面ＳＧ０５に「しないボタンＢＴ２２」、「する（精算だけ）ボタンＢＴ２４」及び「する（登録も）ボタンＢＴ２５」に加えて「他装置（ＰＯＳ端末２０−３）に送信（精算だけ）するボタン」及び「他装置（ＰＯＳ端末２０−３）に送信（登録も）するボタン」を配置し、「他装置（ＰＯＳ端末２０−３）に送信（精算だけ）するボタン」が操作された場合には、小画面ＳＧ０５を消去するとともに通常モードのＰＯＳ端末２０−２ではなくフルセルフモードのＰＯＳ端末２０−３に対し、精算処理から開始されるように登録情報を送信し、「他装置（ＰＯＳ端末２０−３）に送信（登録も）するボタン」が操作された場合には、小画面ＳＧ０５を消去するとともに通常モードのＰＯＳ端末２０−２ではなくフルセルフモードのＰＯＳ端末２０−３に対し、登録処理から開始されるように登録情報を送信してもよい。
【０２８４】
あるいは、図１８（Ｂ）の小画面ＳＧ０５の「する（精算だけ）ボタンＢＴ２４」に代えて「他装置（ＰＯＳ端末２０−３）に送信（精算だけ）するボタン」を配置し、「する（登録も）ボタンＢＴ２５」に代えて「他装置（ＰＯＳ端末２０−３）に送信（登録も）するボタン」を配置してもよい。
【０２８５】
また、上記実施形態では、通常モードのＰＯＳ端末２０−１は、通常モードのＰＯＳ端末２０−２を宛先として登録情報を送信する際に、ＰＯＳ端末２０−２に登録情報を送信するか否かの選択肢を送信側の店員に与えているが、ＰＯＳ端末２０−１は、選択肢を与えることなく、単に、ＰＯＳ端末２０−２を宛先とした登録情報の送信を禁止してもよい。例えば、ＰＯＳ端末２０−１は、図１８（Ａ）の小画面ＳＧ０４や図１８（Ｂ）の小画面ＳＧ０５を表示せずに図１８（Ａ）の小画面ＳＧ０４や図１８（Ｂ）の小画面ＳＧ０５の「しないボタンＢＴ２２」が操作されたのと同様の制御を行ってもよい。なお、ＰＯＳ端末２０−１は、ＰＯＳ端末２０−２を宛先とした登録情報の送信を禁止した旨については報知してもよい。
【０２８６】
また、通常モードのＰＯＳ端末２０−１は、通常モードのＰＯＳ端末２０−２を宛先として登録情報を送信するか否かの選択肢や、当該宛先に登録情報を送信する場合に当該宛先において当該登録情報をどのように処理（精算だけ、登録も）するかの選択肢を与えるか否かを、送信側の店員の権限に応じて異ならせてもよい。例えば、送信側の店員の権限が高い場合には、図１８（Ｂ）の小画面ＳＧ０５に「しないボタンＢＴ２２」、「する（精算だけ）ボタンＢＴ２４」及び「する（登録も）ボタンＢＴ２５」に加えて「他装置（ＰＯＳ端末２０−３）に送信（精算だけ）するボタン」及び「他装置（ＰＯＳ端末２０−３）に送信（登録も）するボタン」を配置して表示し、送信側の店員の権限が中程度の場合には、図１８（Ａ）の小画面ＳＧ０４や図１８（Ｂ）の小画面ＳＧ０５を表示し、送信側の店員の権限が低い場合には、何ら選択肢を与えないようにしてもよい（単に通常モードのＰＯＳ端末２０−２を宛先とした登録情報の送信を禁止してもよい）。
【０２８７】
また、上記実施形態では、登録情報の宛先である通常モードのＰＯＳ端末２０−２が、自端末（ＰＯＳ端末２０−２）において当該登録情報を処理するか否かの選択肢を受信側の店員に与える場合についても説明したが（図２０（Ａ）、図２１（Ａ）等参照）、当該選択肢を受信側の店員に与えるか否かを、受信側の店員の権限に応じて異ならせてもよい。例えば、受信側の店員の権限が高い場合には、図２０（Ａ）の小画面ＳＧ０６や図２１（Ａ）の小画面ＳＧ０７を表示し、受信側の店員の権限が高くない場合には、何ら選択肢を与えないようにしてもよい（例えば、他端末からの登録情報を処理するか否かについて事前に設定した内容に従って処理してもよい）。
【０２８８】
また、上記実施形態では、登録情報の宛先である通常モードのＰＯＳ端末２０−２が、自端末（ＰＯＳ端末２０−２）において当該登録情報をどのように処理（精算だけ、登録も）するかの選択肢を受信側の店員に与える場合についても説明したが（図２２（Ａ）、図２２（Ｂ）等参照）、当該選択肢を受信側の店員に与えるか否かを、受信側の店員の権限に応じて異ならせてもよい。例えば、受信側の店員の権限が高い場合には、図２２（Ａ）の小画面ＳＧ０８や図２２（Ｂ）の小画面ＳＧ０９を表示し、受信側の店員の権限が高くない場合には、何ら選択肢を与えないようにしてもよい（例えば、他端末からの登録情報をどのように処理するかについて事前に設定した内容に従って処理してもよい）。
【０２８９】
また、上記実施形態では、登録情報の受信側のＰＯＳ端末２０−２において当該登録情報をどのように処理（精算だけ、登録も）するかを店員（送信側または受信側の店員）が選択可能であるが（図１８（Ｂ）、図２２（Ａ）、図２２（Ｂ）等参照）、登録情報の受信側のＰＯＳ端末２０−２において当該登録情報をどのように処理（精算だけ、登録も）するかを当該ＰＯＳ端末２０−２の設置位置に応じて異ならせてもよい。換言すれば、登録情報の送信先である他端末において登録処理を引き継ぐか否か（委ねるか否か）を、店員（送信側または受信側の店員）の権限に代えて又は加えて、商品等の配置（当該他端末と商品等の位置関係）に基づいて決定してもよい。
【０２９０】
例えば、タバコ、ホットスナック、おでん等商品については、有無や残数を確認し易く提供し易い最寄りの端末で登録処理を行うと便利である。また、公共料金等の収納代行業務や宅配業務において押印する店舗印は所定場所に１つだけ置かれる場合があるが、店舗印を押印する場面には店舗印に最寄りの端末で登録処理を行うと便利である。従って、登録情報の送信先である他端末において登録処理を引き継ぐか否かを、当該他端末が、上述のような商品や店舗印の所定場所に近いか否かに応じて決定してもよい。例えば、ＰＯＳ端末２０−２の設置場所が上述のような商品や店舗印の所定場所に近い場合には、受信側であるＰＯＳ端末２０−２において他端末（ＰＯＳ端末２０−１）から受信した登録情報に基づいて（引き継いで）登録処理を実行させる旨の選択肢（図１８（Ｂ）、図２２（Ａ）、図２２（Ｂ）等参照）を表示し、ＰＯＳ端末２０−２の設置場所が上述のような商品や店舗印の所定場所に近くない場合には、上述のような選択肢を表示しないようにしてもよい。なお、夫々のＰＯＳ端末２０について、設置場所が上述のような商品や店舗印の所定場所に近いか否か（もしくは、他端末から受信した登録情報に基づいて登録処理を実行させる旨の選択肢を表示させるか否か）を予め設定しておくとよい。
【０２９１】
また、初心者の店員が未だ教育されていない業務（収納代行、宅配便、店内調理等）を要求されると効率が悪くなる可能性があるため、当該店員の属性（経験度、熟練度）と、業務に関連する場所（収納代行、宅配便に使う検印、料理場所）とに基づいて判断してもよい。
【０２９２】
また、上記実施形態では、登録情報とともに他の店員（ＰＯＳ端末２０−２の店員）送信される指示情報に基づくメッセージとして、図２０（Ａ）の小画面ＳＧ０６における「レジ２０−１からの登録情報（精算だけ）を処理しますか？」や図２１（Ｂ）の小画面ＳＧ０７における「レジ２０−１からの登録情報（登録も）を処理しますか？」を例示したが、メッセージの内容はこれに限定されない。また、メッセージは複数種類用意されており、何れのメッセージを表示させるかを送信側の店員が選択できるようにしてもよい。
【０２９３】
また、上記実施形態では、図２０（Ａ）の小画面ＳＧ０６や図２１（Ｂ）の小画面ＳＧ０７に、指示情報に基づくメッセージとともに応答ボタン（「しないボタンＢＴ２６」、「するボタンＢＴ２７」）を配置しているが、応答ボタンを配置せずにメッセージのみを表示してもよい（単に当該小画面を消去するだけの確認ボタン（ＯＫボタン等）は配置してもよい）。また、応答ボタンを配置するか否かを送信側の店員が選択できるようにしてもよい。
【０２９４】
なお、上記実施形態では、指示情報として、登録情報に付加される特別の情報（フラグ）、または、登録情報とともに送信される特別の情報（フラグ）を用いる例を説明したが、特別の情報（フラグ等）を用いることなく、指定端末において精算処理から開始されるか登録処理から開始されるかを制御してもよい。例えば、指定端末側において合計金額を含む登録情報を受信した場合には精算処理から開始し、合計金額を含まない登録情報を受信した場合には登録処理から開始するようにしてもよい。つまり、ＰＯＳ端末２０−１は、図１７（Ｂ）の小画面ＳＧ０３の「精算処理だけ行うボタンＢＴ２０」が操作された場合や、図１８（Ａ）の小画面ＳＧ０４の「するボタンＢＴ２３」が操作された場合や、図１８（Ｂ）の小画面ＳＧ０５の「する（精算だけ）ボタンＢＴ２４」が操作された場合には、合計金額を含む登録情報を指定端末に送信してもよい。また、ＰＯＳ端末２０−１は、図１７（Ｂ）の小画面ＳＧ０３の「登録処理も行うボタンＢＴ２１」が操作された場合や、図１８（Ｂ）の小画面ＳＧ０５の「する（登録も）ボタンＢＴ２５」が操作された場合には、合計金額を含まない登録情報を指定端末に送信してもよい。
【０２９５】
また、上記実施形態では、送受信するデータ量を削減するため、受信側の端末で表示するメッセージ（「レジ２０−１からの登録情報（精算だけ）を処理しますか？」等」のメッセージ）自体を送受信していないが、受信側の端末で表示するメッセージ自体を送受信してもよい。
【０２９６】
また、上記実施形態では、通常モードのＰＯＳ端末２０−１は、通常モードのＰＯＳ端末２０−２を宛先として登録情報について、送信ボタン（２０−２レジボタンＢＴ１２）の押下後に小画面（小画面ＳＧ０４、小画面ＳＧ０５）を表示し、当該宛先（ＰＯＳ端末２０−２）への登録情報の送信を禁止（一時的に禁止）しているが、送信禁止の態様は、これに限定されない。例えば、送信ボタン（２０−２レジボタンＢＴ１２）を非表示にすることにより禁止（完全に禁止）してもよい。また、送信ボタンを表示するが操作しても反応させないようにしてもよいし、送信ボタンの操作によって反応させるがエラーとなるようにしてもよい。
【０２９７】
また、上記実施形態では、登録情報を送信するＰＯＳ端末２０−１は、受信側のＰＯＳ端末２０の動作モード（通常モード、フルセルフモード）に応じて処理を異ならせているが（図３０のステップＳ８００等参照）、上述したように、通常モードは基本的に店員が利用しているものである。換言すれば、ＰＯＳ端末２０−１は、受信側のＰＯＳ端末２０の利用状況（動作モードから推察される利用状況）に応じて処理を異ならせている。
【０２９８】
また、上記実施形態では、受信側のＰＯＳ端末２０の動作モードに応じて処理を異ならせているが（図３０のステップＳ８００等参照）、例えば、受信側のＰＯＳ端末２０の動作モードに代えて、受信側のＰＯＳ端末２０の店員の利用状況（実際の利用状況）に応じて処理を異ならせてもよい。一例として、下記（ａ）の場合には図３０のステップＳ８０１（フルセルフモードである場合と同様の処理）に進むようにし、下記（ｂ）の場合には図３０のステップＳ８０２（通常モードである場合と同様の処理）に進むようにしてもよい。
（ａ）受信側のＰＯＳ端末２０（動作モードは問わない）が店員に使用されていない場合
（ｂ）受信側のＰＯＳ端末２０（動作モードは問わない）が店員に使用されている場合
【０２９９】
また例えば、受信側のＰＯＳ端末２０の動作モードに加えて、受信側のＰＯＳ端末２０の店員の利用状況（実際の利用状況）に応じて処理を異ならせてもよい。一例として、下記（Ａ）（Ｂ）（Ｃ）の場合には図３０のステップＳ８０１に進むようにし、下記（Ｄ）の場合には図３０のステップＳ８０２に進むようにしてもよい。あるいは、下記（Ａ）の場合には図３０のステップＳ８０１に進むようにし、下記（Ｂ）（Ｃ）（Ｄ）の場合には図３０のステップＳ８０２に進むようにしてもよい。
（Ａ）受信側のＰＯＳ端末２０（フルセルフモード）が店員に使用されていない場合
（Ｂ）受信側のＰＯＳ端末２０（通常モード）が店員に使用されていない場合
（Ｃ）受信側のＰＯＳ端末２０（フルセルフモード）が店員に使用されている場合
（Ｄ）受信側のＰＯＳ端末２０（通常モード）が店員に使用されている場合
【０３００】
なお、受信側のＰＯＳ端末２０が店員に使用されているか否かは、当該端末の近傍に人間がいることを検出するセンサ等によって判断してもよい。例えば、所定時間（１０秒程度）連続して人間を検出しなかった場合には店員に使用されていないと判断してもよい。なお、当該センサは、各ＰＯＳ端末２０に設置されるものであってもよいし、天井や壁等に設置されるものであってもよい。
【０３０１】
また、上記センサによる方法に代えてまたは加えて、受信側のＰＯＳ端末２０が店員に使用されているか否かは、最後に操作されてからの放置時間（非操作時間）によって判断（推定）してもよい。上記放置時間が短い場合には（例えば、所定の閾値（基準時間）未満である場合には）店員に使用されていると判断し、長い場合には（例えば、所定の閾値以上である場合には）店員に使用されていないと判断してもよい。なお、上記閾値は、店舗毎、曜日毎、時間帯毎、設置位置毎（端末毎）に異ならせてもよい。
【０３０２】
また、上記実施形態では、ＰＯＳ端末２０−１は、現金の投入（入金の検出）があった場合には、他端末において精算する場合に使用するボタン（２０−２レジボタンＢＴ１２、２０−３レジボタンＢＴ１３、お会計券ボタンＢＴ１５）を非表示とし（図１１（Ａ）等参照）、他端末精算予約ボタンが操作された場合には、自端末において精算する場合に使用する小計ボタンＢＴ１０を非表示としている（図２４（Ｂ等）参照）。つまり、不要となるボタンを消去することによって当該ボタンによる処理を禁止している。しかしながら、処理を禁止する態様はボタンを消去する方法に限定されない。例えば、ボタンを表示（禁止と分かる態様で表示等）するが操作しても反応させないようにしてもよいし、ボタンの操作によって反応させるがエラーとなるようにしてもよい。
【０３０３】
また、現金の投入があった場合ではなく、投入金額（入金金額）が購入金額以上である場合に、他端末において精算する場合に使用するボタンを非表示したり、当該ボタン操作を無反応やエラーにしたりしてもよい。
【０３０４】
投入金額が購入金額以上である場合にボタンを非表示等にする態様の場合、登録画面の表示欄ＨＲ０１における表示について、投入金額が購入金額未満であるか購入金額以上であるかが分かる態様で表示してもよい。例えば、「以上」や「未満」の文字を表示したり、購入金額以上である旨の印を表示してもよい。また、金額の文字色、文字サイズ、文字の太さや書体、背景（表示欄）の色等を、購入金額未満であるか購入金額以上であるかで異ならせてもよい。なお、現金の投入があった場合にボタンを非表示等にする態様の場合であっても、同様に、投入金額が購入金額未満であるか購入金額以上であるかが分かる態様で表示してもよい。
【０３０５】
なお、一時、投入金額が購入金額以上であったが、後の商品登録によって購入金額が増加し、投入金額が購入金額未満となっている場合には、投入金額は過去には購入金額以上であったが現時点では購入金額未満であるため、上記の通り、ボタンを非表示等にしない。なお、投入金額は過去には購入金額以上であったが現時点では購入金額未満である場合（つまり、一度でも投入金額が購入金額以上であった場合）に、ボタンを非表示等にしてもよい。
【０３０６】
また、登録画面の表示欄ＨＲ０１における表示について、投入金額が購入金額未満であるか購入金額以上であるかが分かる態様で表示するか否かに関わらず、表示欄ＨＲ０１において、決済種別が選択（決定）されたか否かを示す情報や、選択された決済種別を特定可能な情報や、読み取られた情報（例えば、クレジットカードや電子マネーの種類を特定可能な情報等）を表示してもよい。例えば、選択された（又は読み取られた）クレジットカードや電子マネーに対応する文字や記号や絵（イラスト）が表示されるようにしてもよい。
【０３０７】
なお、表示欄ＨＲ０１に代えて又は加えて、画面上の他の位置に、投入金額が購入金額未満であるか購入金額以上であるかが分かる情報や、決済種別が選択されたか否かを示す情報や、選択された決済種別を特定可能な情報や、読み取られた情報を特定可能な情報等を表示してもよい。一例として、表示欄ＨＲ０１が設けられた領域（シート、タブ）「１」全体で表示してもよい。例えば、領域「１」全体の背景色により、入金状態（投入金額が購入金額未満であるか購入金額以上であるかの情報）を表示し、領域「１」上の表示欄ＨＲ０１とは異なる位置に、選択等されたクレジットカード等に対応する絵を表示してもよい。
【０３０８】
なお、上述したうように、現金の投入等があった場合には他端末において精算する場合に使用するボタンを非表示等にするため、誤って取引情報を送信してしまった場合（例えば、現金の投入や決済種別の選択等がなされていなかったために送信してしまったような場合等）であっても、当該送信をキャンセルできるようにしてもよい。例えば、次の取引（次客の商品登録、入金、決済種別選択）が開始されるまでは、送信キャンセルボタン（非図示）を表示し、送信キャンセルボタンが操作された場合に、送信した取引情報が送信元に戻るようにしてもよい。これにより、客は現金を投入したり決済種別を選択したりすることなどできるようになり、店員は登録商品の内容を修正したりすることなどができるようになる。なお、送信元に戻るとは、送信キャンセルボタンの操作によって当初の状況（誤って取引情報を送信する前の状況）に戻ることを意味し、送信キャンセルボタンの操作後に実際に取引情報が送受信される場合に限定されない。例えば、送信側において送信後も登録情報を保持する態様では、登録側では、送信キャンセルボタンの操作後に保持している登録情報を送信前の情報として取り扱うとともに、受信側では、当該登録情報を破棄（以降使用しないように無視でも可）してもよい。
【０３０９】
また、上記実施形態では、ＰＯＳ端末２０−１は、自端末における精算を行わない場合（他端末精算予約ボタンが操作された場合等）、釣銭機２０９への現金の投入が効かなくなると説明したが、具体的には、例えば、現金（紙幣、効果）の投入口を塞いでもよいし（開放しないようにしてもよいし）、投入口に投入された現金をそのまま排出してもよい。また、自端末における精算を行わない場合には、決済種別の入力操作も効かなくなるが（図２５のステップＳ１７０、図２６のステップＳ２７０等参照）、具体的には、夫々の決済種別に対応する各ボタンを配置した小画面ＳＧ０１の非表示化してもよいし、上記各ボタンを表示（禁止と分かる態様で表示等）するが操作しても反応させないようにしてもよいし、上記各ボタンを操作によって反応させるがエラーとなるようにしてもよい。
【０３１０】
また、上記実施形態の決済種別は、現金、クレジットカード、電子マネーの３種類であるが（図１５等参照）、他の決済種別（例えば、商品券、クーポン券、優待券、各種プリペイドカード、デビット決済等）であってもよい。なお、ＰＯＳ端末２０は、合計買上金額の一部代金として入金があった場合（例えば、商品券等の額面の不足分について入金があった場合等）や、入金はないが釣り銭が発生するような場合（額面未満の商品の購入について釣り銭が支払われる商品券等を使用した場合等）には、当該端末（入金がなされた端末）において精算処理を実行するものとして判断してもよい。
【０３１１】
また、上記実施形態では、各ＰＯＳ端末２０は、自端末において動作モード移行した場合には移行後の動作モードを他端末に通知しているため、ＰＯＳ端末２０−１は、最新の他端末の動作モードを常に把握している。従って、ＰＯＳ端末２０−１は、登録情報を他端末に送信する際に、既に自端末が把握している他端末の動作モードを参照し（つまりＬＡＮ１１を介して問い合せを行うことなく）、送信先（宛先）となる他端末の動作モードを確認することができる。なお、ＰＯＳ端末２０−１は、登録情報を他端末に送信する際に、改めてＬＡＮ１１を介して送信先となる他端末の動作モードを問い合せてもよい。
【０３１２】
なお、送信先のＰＯＳ端末（受信側のＰＯＳ端末２０）の店員の利用状況に応じて処理を異ならせる態様の場合、各ＰＯＳ端末２０は、自端末における店員の利用状況が変化した場合に変化後の利用状況を他端末に通知させることにより、ＰＯＳ端末２０−１は、登録情報を他端末に送信する際に、既に自端末が把握している他端末における店員の利用状況を参照し、送信先（宛先）となる他端末における店員の利用状況を確認してもよい。ＰＯＳ端末２０−１は、登録情報を他端末に送信する際に、送信先となる他端末における店員の利用状況を問い合せてもよい。
【０３１３】
つまり、登録データを送信するＰＯＳ端末２０−１は、登録データを送信するための操作がなされたことに基づいて、既に自端末が把握している他端末の動作モードを確認するか、ＬＡＮ１１を介して送信先となる他端末の動作モードを問い合せるかにより、送信先となる他端末の動作モードを判断する。他端末における店員の利用状況についても同様である。
【０３１４】
また、上記実施形態では、ＰＯＳ端末２０−１は、小計キーが操作された場合に、登録画面に重畳させて小画面ＳＧ０２を表示しているが（図１３（Ａ））、ＰＯＳ端末２０−１は、小計キーが操作された場合に、登録画面に代えて（切り替えて）、小画面ＳＧ０２に表示されている情報等を表示する小計画面を表示してもよい。
【０３１５】
また、上記実施形態では、ＰＯＳ端末２０は、店員側から客側、客側から店員側に向きを回転自在に変更可能な１台の印刷部２１３を備えるが（図２〜図４参照）、１台の印刷部２１３に代えて２台の印刷部（店員側に固定的に向けられた印刷部、客側に固定的に向けられた印刷部）を備えるようにしてもよい。
【０３１６】
なお、上記実施形態では、登録情報を他端末に送信する場合に、店員は登録情報の送信先（宛先）の端末を指定（選択）したが、登録情報を他端末に送信する場合に、店員は登録情報の送信先の端末を指定せずに送信する旨だけを指定してもよい。つまり、単に送信ボタンだけを配置するようにしてもよい。店員が登録情報の送信先の端末を指定せずに送信する旨だけを指定する態様では、送信側の端末が、所定の優先順位に従って宛先となる一の端末を選択し、選択した端末に登録情報を送信する。なお、優先順位に従って送信先の端末が選択される態様では、優先順位に従って選択された端末に登録情報を送信する前に、または、優先順位に従って選択された端末に登録情報を送信するとき、または、優先順位に従って選択された端末に登録情報を送信した後に、何れの端末が選択されたか（登録情報の送信先は何れの端末であるか）を店員に報知する。
【０３１７】
上記所定の優先順位は、例えばＰＯＳ端末２０−１から他端末（ＰＯＳ端末２０−２、ＰＯＳ端末２０−３）に登録情報を送信する場合、フルセルフモードのＰＯＳ端末２０−３の方が通常モードのＰＯＳ端末２０−２よりも高くなるようにしてもよい（フルセルフモードのＰＯＳ端末２０−３に優先的に登録情報が送信されるようにしてもよい）。なお、優先順位が低い通常モードのＰＯＳ端末２０−２に登録情報を送信する場合には、店員がＰＯＳ端末２０−２をしていた場合と同様の処理（図３０のステップ８０２以下の処理）を実行してもよい。
【０３１８】
また、上記所定の優先順位は、上述したように、動作モードに代えて加えて受信側のＰＯＳ端末２０の店員の利用状況に応じたものであってもよい。
【０３１９】
また、店員が送信先の端末を指定しない態様（つまり優先順位に従って送信先の端末が選択される態様）では、店員が送信先の端末を指定する態様とは異なる表示を行ってもよい。例えば、店員がＰＯＳ端末２０−３を指定した場合には「レジ２０−３は、フルセルフモードです。」と表示されるが（図１７の（Ｂ）参照）、優先順位に従ってＰＯＳ端末２０−３が選択された場合には「送信先は、レジ２０―３（フルセルフモード）です。」と表示してもよい。換言すれば、いずれの端末が優先順位に従って選択されたかを店員に報知してもよい。
【０３２０】
以下に、付記Ａ１〜Ａ６を開示する。
（付記Ａ１）
商品を登録して登録データを生成する登録手段と、
前記登録データを用いて精算可能な精算手段と、
他装置で精算可能に前記登録データを送信（他装置を宛先として登録データを送信する。他端末に直接的に送信、または、ストアコントローラ等を経由して他端末に送信等）する送信手段と、
他装置について他の店員によって操作されているか否かを判断する判断手段と、
前記送信手段による前記登録データの送信を禁止（送信ボタンの押下後に小画面を表示することにより送信を一時的に禁止、送信ボタンを非表示にすることにより送信を禁止、送信ボタンを操作しても無反応にすることにより送信を禁止、送信ボタンを操作した場合にエラーにすることにより送信を禁止等）する禁止手段と
を備え、
前記禁止手段は、
前記登録データの送信先の他装置について前記判断手段によって他の店員によって操作されていると判断された場合（当該他装置の動作モードが通常モードであると判断された場合、当該他装置が店員によって利用されていると判断（推定）された場合）に、当該他装置に対する前記送信手段による前記登録データの送信を禁止することを特徴とする販売データ処理装置。
【０３２１】
付記Ａ１によれば、登録情報の送信先の装置が店員に利用されている場合には、登録情報の送信が禁止されるため、効率的に処理（登録処理、精算処理）をすることができる。つまり、一般に、店員利用状態の装置に登録情報を送信すると却って処理が滞って非効率となる虞があるため、店員利用状態の装置への登録情報の送信を禁止すれば、非効率となることもなく、全体として効率的に処理をすることができる。
【０３２２】
（付記Ａ２）
前記判断手段は、
前記登録データを送信するための操作がなされたことに基づいて（前記送信手段が前記登録データを送信する際に）、当該登録データの送信先の他装置について他の店員によって操作されているか否かを判断することを特徴する付記Ａ１に記載の販売データ処理装置。
【０３２３】
付記Ａ２によれば、必要時に最新の情報により好適に判断することができる。
【０３２４】
（付記Ａ３）
前記禁止手段が前記登録データの送信を禁止した旨を報知（小画面による報知等）する報知手段と、
前記禁止手段が禁止した前記登録データの送信禁止を解除するための解除操作手段と
を備え、
前記報知手段によって一の他装置に対する前記登録データの送信を禁止した旨が報知された後に、当該他装置に対する前記登録データの送信禁止を解除する解除操作（「するボタンＢＴ２３」等の操作等）を受け付けることを特徴とする付記Ａ１または付記Ａ２に記載の販売データ処理装置。
【０３２５】
付記Ａ３によれば、登録情報の送信先の装置が店員に利用されている場合であっても、状況に応じて、登録情報の送信を送信できるため、効率的に処理（登録処理、精算処理）をすることができる。つまり、店員利用状態の装置に登録情報を送信しても非効率とならないような場合には、適宜、登録情報を送信できるため、効率的に処理をすることができる。あるいは、店員利用状態の装置に登録情報を送信しないと却って非効率となるような場合には、適宜、登録情報を送信できるため、効率的に処理をすることができる。
【０３２６】
（付記Ａ４）
前記禁止手段は、
前記登録データを送信するための操作がなされたことに基づいて（前記送信手段が前記登録データを送信する際に）、前記判断手段の判断結果に応じて、送信先の他装置に対する前記登録データの送信を禁止する（つまり、送信操作の前には禁止せずに送信操作の後に図１８（Ａ）（Ｂ）等に示すように禁止する）ことを特徴する付記Ａ３に記載の販売データ処理装置。
【０３２７】
付記Ａ４によれば、好適に禁止することができる。つまり、送信ボタンを非表示にする態様や、送信ボタンを操作しても無反応にする態様とは異なり、単に禁止するだけではなく、必要に応じて店員の判断により禁止を解除することもできるようになる。
【０３２８】
（付記Ａ５）
前記送信手段は、
他の店員への指示情報とともに前記登録データを送信することを特徴とする付記Ａ１乃至付記Ａ４のいずれかに記載の販売データ処理装置。
【０３２９】
付記Ａ５によれば、他の店員が指示情報に基づいて処理を行うことができるため、効率的に処理をすることができる。
【０３３０】
（付記Ａ６）
販売データ処理装置としてコンピュータを機能させるプログラムであって、
前記コンピュータを、
商品を登録して登録データを生成する登録手段、
前記登録データを用いて精算可能な精算手段、
他装置で精算可能に前記登録データを送信する送信手段、
他装置について他の店員によって操作されているか否かを判断する判断手段、
前記送信手段による前記登録データの送信を禁止する禁止手段
として機能させ、
前記禁止手段は、
前記登録データの送信先の他装置について前記判断手段によって他の店員によって操作されていると判断された場合に、当該他装置に対する前記送信手段による前記登録データの送信を禁止することを特徴とするプログラム。
【０３３１】
以下に、付記Ｂ１〜Ｂ８を開示する。
（付記Ｂ１）
商品を登録する登録処理を実行する登録手段と、
前記登録手段によって生成された登録データを用いて精算処理を実行する精算手段と、
他装置で精算可能に前記登録データを送信（他装置を宛先として登録データを送信する。他端末に直接的に送信、または、ストアコントローラ等を経由して他端末に送信等）する送信処理を実行する送信手段と、
前記精算処理の実行を禁止する禁止手段と
を備え、
前記禁止手段は、前記送信処理が実行される場合（送信予約ボタンによる宣言があった場合等）には前記送信処理の実行前に前記精算処理の実行を禁止（自端末において精算する場合に使用するボタンを非表示にすることにより精算処理の実行を禁止、自端末において精算する場合に使用するボタンを操作しても無反応にすることにより精算処理の実行を禁止、自端末において精算する場合に使用するボタンを操作した場合にエラーにすることにより精算処理の実行を禁止等）することを特徴とする販売データ処理装置。
【０３３２】
付記Ｂ１によれば、状況に適さない処理が誤って実行されてしまうことを好適に防止することができる。具体的には、送信処理が実行される状況においては、自装置における精算は行わないため、当該状況に適さない精算処理を禁止している。従って、送信処理が実行される状況に適さない精算処理が誤って実行されることはなくなる。つまり、当該取引について、誤って自端末において入金等がされることはなくなる。
【０３３３】
（付記Ｂ２）
商品を登録する登録処理を実行する登録手段と、
前記登録手段によって生成された登録データを用いて精算処理を実行する精算手段と、
他装置で精算可能に前記登録データを送信する送信処理を実行する送信手段と、
前記送信処理の実行を禁止する禁止手段と
を備え、
前記禁止手段は、前記精算処理が実行される場合（現金の投入があった場合、送信予約ボタン等による宣言があった場合等）には前記精算処理の実行前に前記送信処理の実行を禁止（他端末において精算する場合に使用するボタンを非表示にする、他端末において精算する場合に使用するボタンを操作しても無反応にする、他端末において精算する場合に使用するボタンを操作した場合にエラーにすることなどによる禁止等）することを特徴とする販売データ処理装置。
【０３３４】
付記Ｂ２によれば、状況に適さない処理が誤って実行されてしまうことを好適に防止することができる。具体的には、精算処理が実行される状況においては、他装置に登録データは送信しないため、当該状況に適さない送信処理を禁止している。従って、精算処理が実行される状況に適さない送信処理が誤って実行されることはなくなる。つまり、当該取引について、誤って他端末に登録情報が送信されることはなくなる。
【０３３５】
（付記Ｂ３）
商品を登録する登録処理を実行する登録手段と、
前記登録手段によって生成された登録データを用いて精算処理を実行する精算手段と、
他装置で精算可能に前記登録データを送信する送信処理を実行する送信手段と、
前記精算処理の実行前に前記精算処理が実行されるか否かを判断する第１判断手段と、
前記送信処理の実行前に前記送信処理が実行されるか否かを判断する第２判断手段と、
前記精算処理と前記送信処理のいずれか一方の処理の実行を禁止する禁止手段と
を備え、
前記禁止手段は、
前記第１判断手段によって前記精算処理の実行前に前記精算処理が実行されると判断した場合に、前記精算処理の実行前に前記送信処理の実行を禁止し、前記第２判断手段によって前記送信処理の実行前に前記送信処理が実行されると判断した場合に、前記送信処理の実行前に前記精算処理の実行を禁止することを特徴とする販売データ処理装置。
【０３３６】
付記Ｂ３によれば、状況に適さない処理が誤って実行されてしまうことを好適に防止することができる。例えば、送信処理が実行される状況においては、自装置における精算は行わないため、当該状況に適さない精算処理を禁止している。従って、送信処理が実行される状況に適さない精算処理が誤って実行されることはなくなる。また例えば、精算処理が実行される状況においては、他装置に登録データは送信しないため、当該状況に適さない送信処理を禁止している。従って、精算処理が実行される状況に適さない送信処理が誤って実行されることはなくなる。
【０３３７】
（付記Ｂ４）
前記第１判断手段は、
釣銭釣札機への入金の有無、または、前記精算処理に適用する決済種別の選択の有無に基づいて、前記精算処理が実行されるか否かを判断することを特徴とする付記Ｂ３に記載の販売データ処理装置。
【０３３８】
付記Ｂ４によれば、精算処理が実行される状況を好適に判断することができる。
【０３３９】
（付記Ｂ５）
前記釣銭釣札機への入金、および、前記決済種別の選択は、前記登録処理が完了する前であっても可能であることを特徴とする付記Ｂ４に記載の販売データ処理装置。
【０３４０】
付記Ｂ５によれば、登録処理の完了まで待たずに済むため、処理全体の所要時間を短縮することができる。
【０３４１】
（付記Ｂ６）
前記送信処理の実行前に前記送信処理の実行を宣言する宣言手段を備え、
前記第２判断手段は、
前記宣言手段による前記宣言の有無に基づいて、前記送信処理が実行されるか否かを判断することを特徴とする付記Ｂ３乃至付記Ｂ５のいずれかに記載の販売データ処理装置。
【０３４２】
付記Ｂ６によれば、送信処理が実行される状況を好適に判断することができる。
【０３４３】
（付記Ｂ７）
前記精算処理は、
前記登録処理を実行後に決済用の操作に基づいて実行される合計買上金額と合計入金金額とを用いた現金決済処理、または、前記登録処理を実行後に決済用の操作に基づいて実行される合計買上金額と決済用の現金以外の媒体とを用いた非現金決済処理であることを特徴とする付記Ｂ１乃至付記Ｂ６のいずれかに記載の販売データ処理装置。
【０３４４】
（付記Ｂ８）
販売データ処理装置としてコンピュータを機能させるプログラムであって、
前記コンピュータを、
商品を登録する登録処理を実行する登録手段、
前記登録手段によって生成された登録データを用いて精算処理を実行する精算手段、
他装置で精算可能に前記登録データを送信する送信処理を実行する送信手段、
前記精算処理と前記送信処理のいずれか一方の処理の実行を禁止する禁止手段
として機能させ、
前記禁止手段は、
前記精算処理が実行される場合には前記精算処理の実行前に前記送信処理の実行を禁止し、前記送信処理が実行される場合には前記送信処理の実行前に前記精算処理の実行を禁止することを特徴とするプログラム。
【０３４５】
なお、以上に説明したＰＯＳシステム１、ＰＯＳ端末２０を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０３４６】
１…ＰＯＳシステム
１０…ストアコントローラ
２０…ＰＯＳ端末
２０１…ＣＰＵ
２０２…ＲＯＭ
２０３…ＲＡＭ
２０４…ハードディスク
２０５…客側表示部
２０６…客側スキャナ部
２０８…カード決済部
２０９…釣銭機
２１０…店員側表示部
２１１…キー操作部
２１１ａ…モード切替ボタン２１１ａ
２１２…店員側スキャナ部
２１３…印刷部
２１４…音声出力部
２１５…通信部
【図１】
2019139394.tif 000003
【図２】
2019139394.tif 000004
【図３】
2019139394.tif 000005
【図４】
2019139394.tif 000006
【図５】
2019139394.tif 000007
【図６】
2019139394.tif 000008
【図７】
2019139394.tif 000009
【図８】
2019139394.tif 000010
【図９】
2019139394.tif 000011
【図１０】
2019139394.tif 000012
【図１１】
2019139394.tif 000013
【図１２】
2019139394.tif 000014
【図１３】
2019139394.tif 000015
【図１４】
2019139394.tif 000016
【図１５】
2019139394.tif 000017
【図１６】
2019139394.tif 000018
【図１７】
2019139394.tif 000019
【図１８】
2019139394.tif 000020
【図１９】
2019139394.tif 000021
【図２０】
2019139394.tif 000022
【図２１】
2019139394.tif 000023
【図２２】
2019139394.tif 000024
【図２３】
2019139394.tif 000025
【図２４】
2019139394.tif 000026
【図２５】
2019139394.tif 000027
【図２６】
2019139394.tif 000028
【図２７】
2019139394.tif 000029
【図２８】
2019139394.tif 000030
【図２９】
2019139394.tif 000031
【図３０】
2019139394.tif 000032
【図３１】
2019139394.tif 000033
【図３２】
2019139394.tif 000034
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
商品を登録する登録処理を実行する登録手段と、
前記登録手段によって生成された登録データを用いて精算処理を実行する精算手段と、
他の販売データ処理装置で精算可能に前記登録データを送信する送信処理を実行する送信手段と、
前記精算処理の実行を禁止する禁止手段と
を備え、
前記禁止手段は、前記送信処理が実行される場合には前記送信処理の実行前に前記精算処理の実行を禁止することを特徴とする販売データ処理装置。
【請求項２】
商品を登録する登録処理を実行する登録手段と、
前記登録手段によって生成された登録データを用いて精算処理を実行する精算手段と、
他の販売データ処理装置で精算可能に前記登録データを送信する送信処理を実行する送信手段と、
前記送信処理の実行を禁止する禁止手段と
を備え、
前記禁止手段は、前記精算処理が実行される場合には前記精算処理の実行前に前記送信処理の実行を禁止することを特徴とする販売データ処理装置。
【請求項３】
商品を登録する登録処理を実行する登録手段と、
前記登録手段によって生成された登録データを用いて精算処理を実行する精算手段と、
他の販売データ処理装置で精算可能に前記登録データを送信する送信処理を実行する送信手段と、
前記精算処理の実行前に前記精算処理が実行されるか否かを判断する第１判断手段と、
前記送信処理の実行前に前記送信処理が実行されるか否かを判断する第２判断手段と、
前記精算処理と前記送信処理のいずれか一方の処理の実行を禁止する禁止手段とを備え、
前記禁止手段は、
前記第１判断手段によって前記精算処理の実行前に前記精算処理が実行されると判断した場合に、前記精算処理の実行前に前記送信処理の実行を禁止し、前記第２判断手段によって前記送信処理の実行前に前記送信処理が実行されると判断した場合に、前記送信処理の実行前に前記精算処理の実行を禁止することを特徴とする販売データ処理装置。
【請求項４】
前記第１判断手段は、
釣銭釣札機への入金の有無、または、前記精算処理に適用する決済種別の選択の有無に基づいて、前記精算処理が実行されるか否かを判断することを特徴とする請求項３に記載の販売データ処理装置。
【請求項５】
販売データ処理装置としてコンピュータを機能させるプログラムであって、
前記コンピュータを、
商品を登録する登録処理を実行する登録手段、
前記登録手段によって生成された登録データを用いて精算処理を実行する精算手段、
他の販売データ処理装置で精算可能に前記登録データを送信する送信処理を実行する送信手段、
前記精算処理と前記送信処理のいずれか一方の処理の実行を禁止する禁止手段として機能させ、
前記禁止手段は、
前記精算処理が実行される場合には前記精算処理の実行前に前記送信処理の実行を禁止し、前記送信処理が実行される場合には前記送信処理の実行前に前記精算処理の実行を禁止することを特徴とするプログラム。
【請求項６】
販売データ処理装置としてコンピュータを機能させるプログラムであって、
前記コンピュータを、
商品を登録する登録処理を実行する登録手段、
前記登録手段によって生成された登録データを用いて精算処理を実行する精算手段、
他の販売データ処理装置で精算可能に前記登録データを送信する送信処理を実行する送信手段、
前記精算処理の実行を禁止する禁止手段として機能させ、
前記禁止手段は、前記送信処理が実行される場合には前記送信処理の実行前に前記精算処理の実行を禁止することを特徴とするプログラム。
【請求項７】
販売データ処理装置としてコンピュータを機能させるプログラムであって、
前記コンピュータを、
商品を登録する登録処理を実行する登録手段、
前記登録手段によって生成された登録データを用いて精算処理を実行する精算手段、
他の販売データ処理装置で精算可能に前記登録データを送信する送信処理を実行する送信手段、
前記送信処理の実行を禁止する禁止手段として機能させ、
前記禁止手段は、前記精算処理が実行される場合には前記精算処理の実行前に前記送信処理の実行を禁止することを特徴とするプログラム。
【請求項８】
販売データ処理装置における販売データ処理方法であって、
商品を登録する登録ステップと、
前記登録ステップによって生成された登録データを用いて精算する精算ステップと、
他の販売データ処理装置で精算可能に前記登録データを送信する送信ステップと、
前記精算ステップと前記送信ステップのいずれか一方の実行を禁止する禁止ステップと
を備え、
前記禁止ステップは、前記送信ステップが実行される場合には前記送信ステップの実行前に前記精算ステップの実行を禁止し、前記精算ステップが実行される場合には前記精算ステップの実行前に前記送信ステップの実行を禁止することを特徴とする販売データ処理方法。
【請求項９】
販売データ処理装置における販売データ処理方法であって、
商品を登録する登録ステップと、
前記登録ステップによって生成された登録データを用いて精算する精算ステップと、
他の販売データ処理装置で精算可能に前記登録データを送信する送信ステップと、
前記精算ステップの実行を禁止する禁止ステップと
を備え、
前記禁止ステップは、前記送信ステップが実行される場合には前記送信ステップの実行前に前記精算ステップの実行を禁止することを特徴とする販売データ処理方法。
【請求項１０】
販売データ処理装置における販売データ処理方法であって、
商品を登録する登録ステップと、
前記登録ステップによって生成された登録データを用いて精算する精算ステップと、
他の販売データ処理装置で精算可能に前記登録データを送信する送信ステップと、
前記送信ステップの実行を禁止する禁止ステップと
を備え、
前記禁止ステップは、前記精算ステップが実行される場合には前記精算ステップの実行前に前記送信ステップの実行を禁止することを特徴とする販売データ処理方法。
【手続補正３】
【補正対象書類名】明細書
【補正対象項目名】０００１
【補正方法】変更
【補正の内容】
【０００１】
本発明は、販売データ処理装置、プログラム及び販売データ処理方法に関する。
【手続補正４】
【補正対象書類名】明細書
【補正対象項目名】０００６
【補正方法】変更
【補正の内容】
【０００６】
上述した課題を解決するために、本発明の一態様である販売データ処理装置は、商品を登録する登録処理を実行する登録手段と、前記登録手段によって生成された登録データを用いて精算処理を実行する精算手段と、他の販売データ処理装置で精算可能に前記登録データを送信する送信処理を実行する送信手段と、前記精算処理の実行を禁止する禁止手段とを備え、前記禁止手段は、前記送信処理が実行される場合には前記送信処理の実行前に前記精算処理の実行を禁止することを特徴とする。
【手続補正５】
【補正対象書類名】明細書
【補正対象項目名】０００７
【補正方法】変更
【補正の内容】
【０００７】
上記に構成によれば、状況に適さない処理が誤って実行されてしまうことを好適に防止することができる。具体的には、送信処理が実行される状況においては、自販売データ処理装置における精算は行わないため、当該状況に適さない精算処理を禁止している。従って、送信処理が実行される状況に適さない精算処理が誤って実行されることはなくなる。
【手続補正６】
【補正対象書類名】明細書
【補正対象項目名】０００８
【補正方法】変更
【補正の内容】
【０００８】
上述した課題を解決するために、本発明の他の態様である販売データ処理装置は、商品を登録する登録処理を実行する登録手段と、前記登録手段によって生成された登録データを用いて精算処理を実行する精算手段と、他の販売データ処理装置で精算可能に前記登録データを送信する送信処理を実行する送信手段と、前記送信処理の実行を禁止する禁止手段とを備え、前記禁止手段は、前記精算処理が実行される場合には前記精算処理の実行前に前記送信処理の実行を禁止することを特徴とする。
【手続補正７】
【補正対象書類名】明細書
【補正対象項目名】０００９
【補正方法】変更
【補正の内容】
【０００９】
上記に構成によれば、状況に適さない処理が誤って実行されてしまうことを好適に防止することができる。具体的には、精算処理が実行される状況においては、他の販売データ処理装置に登録データは送信しないため、当該状況に適さない送信処理を禁止している。従って、精算処理が実行される状況に適さない送信処理が誤って実行されることはなくなる。
【手続補正８】
【補正対象書類名】明細書
【補正対象項目名】００１０
【補正方法】変更
【補正の内容】
【００１０】
上述した課題を解決するために、本発明の他の一態様である販売データ処理装置は、商品を登録する登録処理を実行する登録手段と、前記登録手段によって生成された登録データを用いて精算処理を実行する精算手段と、他の販売データ処理装置で精算可能に前記登録データを送信する送信処理を実行する送信手段と、前記精算処理の実行前に前記精算処理が実行されるか否かを判断する第１判断手段と、前記送信処理の実行前に前記送信処理が実行されるか否かを判断する第２判断手段と、前記精算処理と前記送信処理のいずれか一方の処理の実行を禁止する禁止手段とを備え、前記禁止手段は、前記第１判断手段によって前記精算処理の実行前に前記精算処理が実行されると判断した場合に、前記精算処理の実行前に前記送信処理の実行を禁止し、前記第２判断手段によって前記送信処理の実行前に前記送信処理が実行されると判断した場合に、前記送信処理の実行前に前記精算処理の実行を禁止することを特徴とする。
【手続補正９】
【補正対象書類名】明細書
【補正対象項目名】００１１
【補正方法】変更
【補正の内容】
【００１１】
上記に構成によれば、状況に適さない処理が誤って実行されてしまうことを好適に防止することができる。例えば、送信処理が実行される状況においては、自販売データ処理装置における精算は行わないため、当該状況に適さない精算処理を禁止している。従って、送信処理が実行される状況に適さない精算処理が誤って実行されることはなくなる。また例えば、精算処理が実行される状況においては、他の販売データ処理装置に登録データは送信しないため、当該状況に適さない送信処理を禁止している。従って、精算処理が実行される状況に適さない送信処理が誤って実行されることはなくなる。
【手続補正１０】
【補正対象書類名】明細書
【補正対象項目名】００１４
【補正方法】変更
【補正の内容】
【００１４】
上述した課題を解決するために、本発明の一態様であるプログラムは、販売データ処理装置としてコンピュータを機能させるプログラムであって、前記コンピュータを、商品を登録する登録処理を実行する登録手段、前記登録手段によって生成された登録データを用いて精算処理を実行する精算手段、他の販売データ処理装置で精算可能に前記登録データを送信する送信処理を実行する送信手段、前記精算処理と前記送信処理のいずれか一方の処理の実行を禁止する禁止手段として機能させ、前記禁止手段は、前記精算処理が実行される場合には前記精算処理の実行前に前記送信処理の実行を禁止し、前記送信処理が実行される場合には前記送信処理の実行前に前記精算処理の実行を禁止することを特徴とするプログラムである。
上述した課題を解決するために、本発明の他の一態様であるプログラムは、販売データ処理装置としてコンピュータを機能させるプログラムであって、前記コンピュータを、商品を登録する登録処理を実行する登録手段、前記登録手段によって生成された登録データを用いて精算処理を実行する精算手段、他の販売データ処理装置で精算可能に前記登録データを送信する送信処理を実行する送信手段、前記精算処理の実行を禁止する禁止手段として機能させ、前記禁止手段は、前記送信処理が実行される場合には前記送信処理の実行前に前記精算処理の実行を禁止することを特徴とするプログラムである。
上述した課題を解決するために、本発明の他の一態様であるプログラムは、販売データ処理装置としてコンピュータを機能させるプログラムであって、前記コンピュータを、商品を登録する登録処理を実行する登録手段、前記登録手段によって生成された登録データを用いて精算処理を実行する精算手段、他の販売データ処理装置で精算可能に前記登録データを送信する送信処理を実行する送信手段、前記送信処理の実行を禁止する禁止手段として機能させ、前記禁止手段は、前記精算処理が実行される場合には前記精算処理の実行前に前記送信処理の実行を禁止することを特徴とするプログラムである。
上述した課題を解決するために、本発明の一態様である販売データ処理方法は、販売データ処理装置における販売データ処理方法であって、商品を登録する登録ステップと、前記登録ステップによって生成された登録データを用いて精算する精算ステップと、他の販売データ処理装置で精算可能に前記登録データを送信する送信ステップと、前記精算ステップと前記送信ステップのいずれか一方の実行を禁止する禁止ステップとを備え、前記禁止ステップは、前記送信ステップが実行される場合には前記送信ステップの実行前に前記精算ステップの実行を禁止し、前記精算ステップが実行される場合には前記精算ステップの実行前に前記送信ステップの実行を禁止することを特徴とする。
上述した課題を解決するために、本発明の他の一態様である販売データ処理方法は、販売データ処理装置における販売データ処理方法であって、商品を登録する登録ステップと、前記登録ステップによって生成された登録データを用いて精算する精算ステップと、他の販売データ処理装置で精算可能に前記登録データを送信する送信ステップと、前記精算ステップの実行を禁止する禁止ステップとを備え、前記禁止ステップは、前記送信ステップが実行される場合には前記送信ステップの実行前に前記精算ステップの実行を禁止することを特徴とする。
上述した課題を解決するために、本発明の他の一態様である販売データ処理方法は、販売データ処理装置における販売データ処理方法であって、商品を登録する登録ステップと、前記登録ステップによって生成された登録データを用いて精算する精算ステップと、他の販売データ処理装置で精算可能に前記登録データを送信する送信ステップと、前記送信ステップの実行を禁止する禁止ステップとを備え、前記禁止ステップは、前記精算ステップが実行される場合には前記精算ステップの実行前に前記送信ステップの実行を禁止することを特徴とする。